(57)【特許請求の範囲】
【請求項１】
ワイヤレス通信のための方法であって、
第１の既存のネットワークの第１のプライマリチャネルが、新しいネットワークで使用されるべきチャネルの第２のセットとオーバーラップすることを決定することと、ここにおいて、前記新しいネットワークは、１６０ＭＨｚのネットワークを備える、
前記第１のプライマリチャネルに関する前記決定に応じて、前記第１のプライマリチャネルを前記新しいネットワークにおけるプライマリチャネルとして指定することと、ここにおいて、前記指定することは、前記第１のプライマリチャネルを前記１６０ＭＨｚのネットワークの第１のプライマリ８０ＭＨｚセグメントの前記プライマリチャネルとして指定することを備える、
第２の既存のネットワークの第２のプライマリチャネルが前記チャネルの第２のセットとオーバーラップすると決定することと、
前記新しいネットワークにおけるセカンダリチャネルとして前記第２のプライマリチャネルを使用しないようにすることと、
前記１６０ＭＨｚのネットワークの前記第２の８０ＭＨｚのセグメントのために、前記第２の既存のネットワークの前記第２のプライマリチャネルを使用しないようにすることと
を備える方法。
【請求項２】
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、請求項１に記載の方法。
【請求項３】
前記新しいネットワークにおける前記プライマリチャネルとして前記第２の既存のネットワークのセカンダリチャネルを使用しないようにすることをさらに備える、請求項１に記載の方法。
【請求項４】
前記第２のプライマリチャネルが前記第２の８０ＭＨｚのセグメントにオーバーラップする場合、前記第２の８０ＭＨｚのセグメントを使用しないようにすることをさらに備える、請求項１に記載の方法。
【請求項５】
ワイヤレス通信のための装置であって、
第１の既存のネットワークの第１のプライマリチャネルが新しいネットワークで使用されるべきチャネルの第２のセットとオーバーラップすることを決定するように構成された第１の回路と、ここにおいて、前記新しいネットワークは、１６０ＭＨｚのネットワークを備える、
前記第１のプライマリチャネルに関する前記決定に応じて、前記第１のプライマリチャネルを前記新しいネットワークにおけるプライマリチャネルとして指定するように構成された第２の回路と、ここにおいて、前記指定することは、前記第１のプライマリチャネルを、前記１６０ＭＨｚのネットワークの第１のプライマリの８０ＭＨｚのセグメントの前記プライマリチャネルとして指定することを備える、
第２の既存のネットワークの第２のプライマリチャネルが前記チャネルの第２のセットとオーバーラップすると決定するように構成された第３の回路と、
前記新しいネットワークにおいてセカンダリチャネルとして前記第２のプライマリチャネルを使用しないよういするように構成された第４の回路と、
前記１６０ＭＨｚのネットワークの第２の８０ＭＨｚのセグメントのために、前記第２の既存のネットワークの前記第２のプライマリチャネルを使用しないようにするように構成された第５の回路と
を備える装置。
【請求項６】
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、請求項５に記載の装置。
【請求項７】
前記新しいネットワークにおける前記プライマリチャネルとして前記第２の既存のネットワークのセカンダリチャネルを使用しないようにするように構成された第５の回路をさらに備える、請求項５に記載の装置。
【請求項８】
前記第２のプライマリチャネルが、前記第２の８０ＭＨｚのセグメントにオーバーラップする場合、前記第２の８０ＭＨｚのセグメントを使用しないようにするように構成された第６の回路をさらに備える、請求項５に記載の装置。
【請求項９】
ワイヤレス通信のための装置であって、
第１の既存のネットワークの第１のプライマリチャネルが、新しいネットワークで使用されるべきチャネルの第２のセットとオーバーラップすることを決定するための手段と、ここにおいて、前記新しいネットワークは、１６０ＭＨｚのネットワークを備える、
前記第１のプライマリチャネルに関する前記決定に応じて、前記第１のプライマリチャネルを前記新しいネットワークにおけるプライマリチャネルとして指定するための手段と、ここにおいて、前記指定するための手段は、前記第１のプライマリチャネルを、前記１６０ＭＨｚのネットワークの第１のプライマリの８０ＭＨｚのセグメントの前記プライマリチャネルとして指定するように構成される、
第２の既存のネットワークの第２のプライマリチャネルが前記チャネルの第２のセットとオーバーラップすると決定するための手段と、
前記新しいネットワークにおいてセカンダリチャネルとして前記第２のプライマリチャネルを使用しないようにするための手段と、
前記１６０ＭＨｚのネットワークの第２の８０ＭＨｚのセグメントのために、前記第２の既存のネットワークの前記第２のプライマリチャネルを使用しないようにするための手段と
を備える装置。
【請求項１０】
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、請求項９に記載の装置。
【請求項１１】
前記新しいネットワークにおいて前記プライマリチャネルとして前記第２の既存のネットワークのセカンダリチャネルを使用しないようにするための手段とをさらに備える、請求項９に記載の装置。
【請求項１２】
前記第２のプライマリチャネルが、前記第２の８０ＭＨｚのセグメントにオーバーラップする場合、前記第２の８０ＭＨｚのセグメントを使用しないようにするための手段をさらに備える、請求項１０に記載の装置。
【請求項１３】
ワイヤレス通信のためのコンピュータプログラムであって、
第１の既存のネットワークの第１のプライマリチャネルが、新しいネットワークで使用されるべきチャネルの第２のセットとオーバーラップすることを決定し、ここにおいて、前記新しいネットワークは、１６０ＭＨｚのネットワークを備える、
前記第１のプライマリチャネルに関する前記決定に応じて、前記第１のプライマリチャネルを前記新しいネットワークにおけるプライマリチャネルとして指定し、ここにおいて、前記指定することは、前記第１のプライマリチャネルを、前記１６０ＭＨｚのネットワークの第１のプライマリの８０ＭＨｚのセグメントの前記プライマリチャネルとして指定することを備える、
第２の既存のネットワークの第２のプライマリチャネルが前記チャネルの第２のセットとオーバーラップすると決定し、
前記新しいネットワークにおけるセカンダリチャネルとして前記第２のプライマリチャネルを使用しないようにし、
前記１６０ＭＨｚのネットワークの第２の８０ＭＨｚのセグメントのために、前記第２の既存のネットワークの前記第２のプライマリチャネルを使用しないようにする
ことをコンピュータによって実行させる命令を備える、コンピュータプログラム。
【請求項１４】
アクセスポイントであっって、
少なくとも１つのアンテナと、
第１の既存のネットワークの第１のプライマリチャネルが、新しいネットワークで使用されるべきチャネルの第２のセットとオーバーラップすることを決定するように構成された第１の回路と、ここにおいて、前記新しいネットワークは、１６０ＭＨｚのネットワークを備える、
前記第１のプライマリチャネルに関する前記決定に応じて、前記第１のプライマリチャネルを前記新しいネットワークにおけるプライマリチャネルとして指定するように構成された第２の回路と、ここにおいて、前記指定することは、前記第１のプライマリチャネルを、前記１６０ＭＨｚのネットワークの第１のプライマリの８０ＭＨｚのセグメントの前記プライマリチャネルとして指定することを備える、
第２の既存のネットワークの第２のプライマリチャネルが前記チャネルの第２のセットとオーバーラップすると決定するように構成された第３の回路と、
前記新しいネットワークにおけるセカンダリチャネルとして前記第２のプライマリチャネルを使用しないようにするように構成された第４の回路と、
前記１６０ＭＨｚのネットワークの第２の８０ＭＨｚのセグメントのために、前記第２の既存のネットワークの前記第２のプライマリチャネルを使用しないようにするように構成された第５の回路と
を備えるアクセスポイント。
【発明の詳細な説明】
【関連出願】
【０００１】
本願は、参照により本明細書に組み込まれる、２０１０年７月６日に出願された米国仮出願６１／３６１，８６７号（代理人管理番号１０２３３６Ｐ１）の利益を主張する。
【技術分野】
【０００２】
本開示の特定の態様は、一般に、ワイヤレス通信に関し、より詳細には、ワイドチャネルワイヤレスローカルエリアネットワーク（ＷＬＡＮ）におけるネットワークセットアップの技術に関する。
【背景技術】
【０００３】
ワイヤレス通信システムに対して要求される帯域幅要件の増加という問題に対処するために、高いデータスループットを達成すると同時に、チャネルリソースを共有することにより複数のユーザ端末が単一のアクセスポイントと通信することを可能にするための異なるスキームが開発されている。多入力多出力（ＭＩＭＯ）技法は、次世代通信システムのために一般的な技術として最近登場した１つのそのようなアプローチを表す。ＭＩＭＯ技法は、電気電子学会（ＩＥＥＥ）８０２.１１標準のような、いくつかの新たなワイヤレス通信標準に採用されている。ＩＥＥＥ ８０２.１１は、短距離通信（例えば、数十メートルから数百メートル）のためにＩＥＥＥ ８０２.１１委員会によって開発されたワイヤレスローカルエリアネットワーク（ＷＬＡＮ）エアインターフェース標準のセットを表す。
【０００４】
ＭＩＭＯシステムは、データ送信のために、複数（ＮＴ個）の送信アンテナおよび複数（ＮＲ個）の受信アンテナを用いる。ＮＴ個の送信アンテナおよびＮＲ個の受信アンテナによって形成されるＭＩＭＯチャネルは、空間チャネルとも呼ばれるＮＳ個の独立チャネルに分解されうる。ここで、ＮＳ≦ｍｉｎ｛ＮＴ，ＮＲ｝である。ＮＳ個の独立チャネルの各々は、１つの次元（dimension）に対応する。ＭＩＭＯシステムは、複数の送信アンテナおよび受信アンテナによって作り出される次元性がさらに利用されると、改善された性能（例えば、より高いスループット、および／または、より高い信頼性）を提供することができる。
【０００５】
単一のアクセスポイント（ＡＰ）および複数のユーザ局（ＳＴＡ）を有するワイヤレスネットワークにおいて、アップリンクとダウンリンクの両方の方向で、異なる局への複数のチャネル上で同時送信が行われうる。そのようなシステムにおいて、多くの課題が存在する。
【発明の概要】
【０００６】
本開示の特定の態様は、ワイヤレス通信のための方法を提供する。方法は、一般的に、第１の既存のネットワークの第１のプライマリチャネルが、新しいネットワークで使用されるべきチャネルの第２のセットとオーバーラップすると決定することと、第１のプライマリチャネルに関する決定に応じて、新しいネットワークにおけるプライマリチャネルとして第１のプライマリチャネルを指定することと、第２の既存のネットワークの第２のプライマリチャネルが、チャネルの第２のセットとオーバーラップすると決定することと、第２のプライマリチャネルを、新しいネットワークにおけるセカンダリチャネルとして使用しないようにすることとを含む。
【０００７】
本開示の特定の態様は、ワイヤレス通信のための装置を提供する。装置は、一般的に、第１の既存のネットワークの第１のプライマリチャネルが、新しいネットワークで使用されるべきチャネルの第２のセットとオーバーラップすると決定するように構成された第１の回路と、第１のプライマリチャネルに関する決定に応じて、新しいネットワークにおけるプライマリチャネルとして第１のプライマリチャネルを指定するように構成された第２の回路と、第２の既存のネットワークの第２のプライマリチャネルが、チャネルの第２のセットとオーバーラップすると決定するように構成された第３の回路と、第２のプライマリチャネルを、新しいネットワークにおけるセカンダリチャネルとして使用しないようにするように構成された第４の回路とを含む。
【０００８】
本開示の特定の態様は、ワイヤレス通信のための装置を提供する。装置は、一般的に、第１の既存のネットワークの第１のプライマリチャネルが、新しいネットワークで使用されるべきチャネルの第２のセットとオーバーラップすると決定するための手段と、第１のプライマリチャネルに関する決定に応じて、新しいネットワークにおけるプライマリチャネルとして第１のプライマリチャネルを指定するための手段と、第２の既存のネットワークの第２のプライマリチャネルが、チャネルの第２のセットとオーバーラップすると決定するための手段と、第２のプライマリチャネルを、新しいネットワークにおけるセカンダリチャネルとして使用しないようにするための手段とを含む。
【０００９】
本開示の特定の態様は、ワイヤレス通信のためのコンピュータプログラムプロダクトを提供する。コンピュータプログラムプロダクトは、一般的に、コンピュータ可読媒体を含み、コンピュータ可読媒体は、第１の既存のネットワークの第１のプライマリチャネルが新しいネットワークで使用されるべきチャネルの第２のセットとオーバーラップすると決定することと、第１のプライマリチャネルに関する決定に応じて、新しいネットワークにおけるプライマリチャネルとして第１のプライマリチャネルを指定することと、第２の既存のネットワークの第２のプライマリチャネルが、チャネルの第２のセットとオーバーラップすると決定することと、第２のプライマリチャネルを、新しいネットワークにおけるセカンダリチャネルとして使用しないようにすることとを実行可能な命令を有する。
【００１０】
本開示の特定の態様は、少なくとも１つのアンテナと、第１の既存のネットワークの第１のプライマリチャネルが新しいネットワークで使用されるべきチャネルの第２のセットとオーバーラップすると決定するように構成された第１の回路と、第１のプライマリチャネルに関する決定に応じて、新しいネットワークにおけるプライマリチャネルとして第１のプライマリチャネルを指定するように構成された第２の回路と、第２の既存のネットワークの第２のプライマリチャネルが、チャネルの第２のセットとオーバーラップすると決定するように構成された第３の回路と、第２のプライマリチャネルを、新しいネットワークにおけるセカンダリチャネルとして使用しないようにするように構成された第４の回路とを含むアクセスポイントを提供する。
【００１１】
本開示の特定の態様は、ワイヤレス通信のための方法を提供する。方法は、一般的に、第１のワイヤレスネットワークにおいて通信するためにチャネルの第１のセットを利用することと、不寛容インジケーション（intolerance indication）を第２のワイヤレスネットワークから受信することと、不寛容インジケーションに応じて、チャネルの第１のセットの少なくとも一部をリリースすることと、第１のワイヤレスネットワークで通信するためにチャネルの第１のセットの残りの部分を利用することとを含む。
【００１２】
本開示の特定の態様は、ワイヤレス通信のための装置を提供する。装置は、一般的に、第１のワイヤレスネットワークにおいて通信するためにチャネルの第１のセットを利用するように構成された第１の回路と、不寛容インジケーションを第２のワイヤレスネットワークから受信するように構成された第２の回路と、不寛容インジケーションに応じて、チャネルの第１のセットの少なくとも一部をリリースするように構成された第３の回路と、第１のワイヤレスネットワークで通信するためにチャネルの第１のセットの残りの部分を利用するように構成された第４の回路とを含む。
【００１３】
本開示の特定の態様は、ワイヤレス通信のための装置を提供する。装置は、一般的に、第１のワイヤレスネットワークにおいて通信するためにチャネルの第１のセットを利用するための手段と、不寛容インジケーションを第２のワイヤレスネットワークから受信するための手段と、不寛容インジケーションに応じて、チャネルの第１のセットの少なくとも一部をリリースするための手段と、第１のワイヤレスネットワークで通信するためにチャネルの第１のセットの残りの部分を利用するための手段とを含む。
【００１４】
本開示の特定の態様は、ワイヤレス通信のためのコンピュータプログラムプロダクトを提供する。コンピュータプログラムプロダクトは、一般的に、コンピュータ可読媒体を含み、コンピュータ可読媒体は、第１のワイヤレスネットワークにおいて通信するためにチャネルの第１のセットを利用することと、不寛容インジケーションを第２のワイヤレスネットワークから受信することと、不寛容インジケーションに応じて、チャネルの第１のセットの少なくとも一部をリリースすることと、第１のワイヤレスネットワークで通信するためにチャネルの第１のセットの残りの部分を利用することとを実行可能な命令を有する。
【００１５】
本開示の特定の態様は、アクセスポイントを提供する。アクセスポイントは、一般的に、少なくとも１つのアンテナと、第１のワイヤレスネットワークにおいて通信するためにチャネルの第１のセットを利用するように構成された第１の回路と、少なくとも１つのアンテナを介して、不寛容インジケーションを第２のワイヤレスネットワークから受信するように構成された第２の回路と、不寛容インジケーションに応じてチャネルの第１のセットの少なくとも一部をリリースするように構成された第３の回路と、第１のワイヤレスネットワークで通信するためにチャネルの第１のセットの残りの部分を利用するように構成された第４の回路とを含む。
【００１６】
本開示の特定の態様は、ワイヤレス通信のための方法を提供する。方法は、一般的に、第１のワイヤレスネットワークにおいて通信するためにチャネルの第１のセットを利用することと、不寛容インジケーションを第２のワイヤレスネットワークから受信することと、不寛容インジケーションに応じて、不寛容インジケーションに依存し、アクセスパラメータの第１のセットを使用して、第１のワイヤレスネットワークにおいて通信するためにチャネルの第１のセットから１または複数のチャネルを利用することと、不寛容インジケーションに依存し、アクセスパラメータの第２のセットを使用して第１のワイヤレスネットワークで通信するためにチャネルの第１のセットの残りのサブセットを利用することとを含む。
【００１７】
本開示の特定の態様は、ワイヤレス通信のための装置を提供する。装置は、一般的に、第１のワイヤレスネットワークにおいて通信するためにチャネルの第１のセットを利用するように構成された第１の回路と、不寛容インジケーションを第２のワイヤレスネットワークから受信するように構成された第２の回路と、不寛容インジケーションに応じて、不寛容インジケーションに依存し、アクセスパラメータの第１のセットを使用して、第１のワイヤレスネットワークにおいて通信するためにチャネルの第１のセットから１または複数のチャネルを利用するように構成された第３の回路と、不寛容インジケーションに依存し、アクセスパラメータの第２のセットを使用して、第１のワイヤレスネットワークで通信するためにチャネルの第１のセットの残りのサブセットを利用するように構成された第４の回路とを含む。
【００１８】
本開示の特定の態様は、ワイヤレス通信のための装置を提供する。装置は、一般的に、第１のワイヤレスネットワークにおいて通信するためにチャネルの第１のセットを利用するための手段と、不寛容インジケーションを第２のワイヤレスネットワークから受信するための手段と、不寛容インジケーションに応じて、不寛容インジケーションに依存し、アクセスパラメータの第１のセットを使用して、第１のワイヤレスネットワークで通信するためにチャネルの第１のセットから１または複数のチャネルを利用するための手段と、不寛容インジケーションに依存し、アクセスパラメータの第２のセットを使用して、第１のワイヤレスネットワークで通信するためにチャネルの第１のセットの残りのサブセットを利用するための手段とを含む。
【００１９】
本開示の特定の態様は、ワイヤレス通信のためのコンピュータプログラムプロダクトを提供する。コンピュータプログラムプロダクトは、一般的に、コンピュータ可読媒体を含み、コンピュータ可読媒体は、第１のワイヤレスネットワークにおいて通信するためにチャネルの第１のセットを利用することと、第２のワイヤレスネットワークから不寛容インジケーションを受信することと、不寛容インジケーションに応じて、不寛容インジケーションに依存し、アクセスパラメータの第１のセットを使用して、第１のワイヤレスネットワークにおいて通信するためにチャネルの第１のセットから１または複数のチャネルを利用することと、不寛容インジケーションに依存し、アクセスパラメータの第２のセットを使用して、第１のワイヤレスネットワークで通信するためにチャネルの第１のセットの残りのサブセットを利用することとを実行可能な命令を有する。
【００２０】
本開示の特定の態様は、アクセスポイントを提供する。アクセスポイントは、一般的に、少なくとも１つのアンテナと、第１のワイヤレスネットワークにおいて通信するためにチャネルの第１のセットを利用するように構成された第１の回路と、第２のワイヤレスネットワークから不寛容インジケーションを受信する（少なくとも１つのアンテナを介して）ように構成された第２の回路と、不寛容インジケーションに応じて、不寛容インジケーションに依存し、アクセスパラメータの第１のセットを使用して、第１のワイヤレスネットワークにおいて通信するためにチャネルの第１のセットから１または複数のチャネルを利用するように構成された第３の回路と、不寛容インジケーションに依存し、アクセスパラメータの第２のセットを使用して第１のワイヤレスネットワークで通信するためにチャネルの第１のセットの残りのサブセットを利用するように構成された第４の回路とを含む。
【図面の簡単な説明】
【００２１】
本開示の上に記述された特徴が詳細に理解されうるように、上に述べられた概略のより詳しい説明は、態様を参照して記載されており、そのうちのいくつかは添付の図面に示されている。しかしながら、添付の図は、本開示の特定の典型的な態様しか示さず、記述が他の同等に効果的な態様を認めうるため、その範囲を限定するものとしてみなされるべきではないことは留意されるべきである。
【図１】図１は、本開示の特定の態様にしたがい、ワイヤレス通信ネットワークの図を示す。
【図２】図２は、本開示の特定の態様にしたがい、例示的なアクセスポイントおよびユーザ端末のブロック図を示す。
【図３】図３は、本開示の特定の態様にしたがい、例示的なワイヤレスデバイスのブロック図を示す。
【図４】図４は、本開示の特定の態様にしたがい、チャネル指定のためにアクセスポイントにおいて実行されうる例示的な動作を示す。
【図４Ａ】図４Ａは、図４に示された動作を実行可能な例示的な回路を示す。
【図５】図５は、本開示の特定の態様にしたがい、既存の４０ＭＨｚのネットワークに対して新しいネットワークについての例示的なチャネル指定を示す。
【図６】図６は、本開示の特定の態様にしたがい、既存の８０ＭＨｚのネットワークに対して新しいネットワークについての例示的なチャネル指定を示す。
【図７】図７は、本開示の特定の態様にしたがい、２つの既存の８０ＭＨｚのネットワークに対して新しい８０ＭＨｚのネットワークについての例示的なチャネル指定を示す。
【図８】図８は、本開示の特定の態様にしたがい、２つの既存の４０ＭＨｚのネットワークに対して新しい８０ＭＨｚのネットワークについての例示的なチャネル指定を示す。
【図９】図９は、本開示の特定の態様にしたがい、既存の４０ＭＨｚのネットワークと既存の８０ＭＨｚのネットワークに対して新しい８０ＭＨｚのネットワークについての例示的なチャネル指定を示す。
【図１０】図１０は、本開示の特定の態様にしたがい、既存の８０ＭＨｚのネットワークに対して新しいネットワークについての例示的なチャネル指定を示す。
【図１１】図１１は、本開示の特定の態様にしたがい、既存の１６０ＭＨｚのネットワークに対して新しいネットワークについての例示的なチャネル指定を示す。
【図１２】図１２は、本開示の特定の態様にしたがい、２つの既存の４０ＭＨｚのネットワークに対して新しいネットワークについての例示的なチャネル指定を示す。
【図１３】図１３は、本開示の特定の態様にしたがい、４つの既存の４０ＭＨｚのネットワークに対して新しい１６０ＭＨｚのネットワークについての例示的なチャネル指定を示す。
【図１４】図１４は、本開示の特定の態様にしたがい、２つの既存の８０ＭＨｚのネットワークに対して新しい１６０ＭＨｚのネットワークに対する例示的なチャネル指定を示す。
【図１５】図１５は、本開示の特定の態様にしたがい、ＩＢ（不寛容ビット）動作を実行するためにアクセスポイントにおいて実行されうる例示的な動作を示す。
【図１５Ａ】図１５Ａは、図１５に示された動作を実行可能な例示的な回路を示す。
【図１６】図１６は、本開示の特定の態様にしたがい、既存のＬＢＮ（低帯域幅ネットワーク）に対する例示的なＩＢ動作を示す。
【図１７】図１７は、本開示の特定の態様にしたがい、既存のＨＢＮ（高帯域幅ネットワーク）に対する例示的なＩＢ動作を示す。
【図１８】図１８は、本開示の特定の態様にしたがい、既存のＨＢＮとの例示的なＩＢ動作を示す。
【図１９】図１９は、本開示の特定の態様にしたがい、ＩＢ動作を実行するためにアクセスポイントにおいて実行されうる例示的な動作を示す。
【図１９Ａ】図１９Ａは、図１９に示された動作を実行可能な例示的な回路を示す。
【発明を実施するための形態】
【００２２】
本開示の様々な態様は、添付の図に関して以下にさらに十分に記述される。しかしながら、本開示は、多くの異なる形態で組み込まれることができ、本開示全体を通して提示される任意の特定の構造または機能に限定されるとして解釈されるべきではない。むしろ、これらの態様が提供されることで、本開示が完全かつ完璧となり、本開示の範囲を当業者に十分に伝達するであろう。本明細書の教示に基づいて、本開示の範囲が、独立して実施されようと、本開示の任意の他の態様と組み合わせて実施されようと、本明細書に開示された開示のあらゆる態様をカバーすることが企図されることを当業者は認識するべきである。例えば、本明細書に示される任意の数の態様を使用して、装置が実施されるか、あるいは、方法が実施されうる。加えて、本開示の範囲は、本明細書に示された開示の様々な態様に加えて、あるいは、それら以外に、他の構造、機能性、または、構造と機能性を使用して実施されるそのような装置または方法をカバーすることが企図される。本明細書に開示される開示の任意の態様が、請求項の１または複数のエレメントによって組み込まれうることは理解されるべきである。
【００２３】
「例示的（exemplary）」という用語は、「実例、事例、例証として提供される（serving as an example, instance, or illustration）」を意味するために本明細書で使用される。「例示的」として本明細書に記述されている任意の態様は、必ずしも、他の実施形態より有利または優先されると解釈されるべきではない。
【００２４】
特定の態様が本明細書に記述されているが、これらの態様の多くの変形および置換は、本開示の範囲内である。好まれる態様のいくつかの利益および利点が述べられているが、本開示の範囲が特定の利益、用途、または目的に制限されることは企図されない。むしろ、本開示の態様は、異なるワイヤレス技法、システム構成、ネットワーク、および、送信プロトコルに対して広く適用可能であることが企図され、そのいくつかは、例として、図に、および、好まれる態様の以下の記述に示される詳細な記述および図は、限定的というよりはむしろ本開示の単なる例であり、本開示の範囲は、添付の請求項およびその等価物によって定義されている。
【００２５】
例示的なワイヤレス通信システム  
本明細書に記述される技術は、直交多重化スキームに基づく通信システムを含む様々なブロードバンドワイヤレス通信システムに対して使用されうる。そのような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システムなどを含む。ＳＤＭＡシステムは、十分に異なる方向を利用して、複数のユーザ端末に属するデータを同時に送信しうる。ＴＤＭＡシステムは、各々が異なるユーザ端末に割り当てられる異なる時間スロットへと送信信号を分割することによって、複数のユーザ端末が同一の周波数チャネルを共有することを可能にする。ＯＦＤＭＡシステムは、システム帯域幅全体を複数の直交サブキャリアに分割する変調技術である直交周波数分割多重化（ＯＦＤＭ）を利用する。これらのサブキャリアは、さらに、トーン、ビンなどとも呼ばれうる。ＯＦＤＭの場合、各サブキャリアは、独立して、データと変調されうる。ＳＣ−ＦＤＭＡシステムは、システム帯域にわたって分散されたサブキャリア上で送信するためにインターリーブドＦＤＭＡ（ＩＦＤＭＡ）を利用し、隣接サブキャリアのブロック上で送信するためにローカライズドＦＤＭＡ（ＬＦＤＭＡ）を利用し、または、隣接サブキャリアの複数のブロック上で送信するためにエンハンスドＦＤＭＡ（ＥＦＤＭＡ）を利用しうる。一般的に、変調シンボルは、ＯＦＤＭを用いて周波数ドメインで送られ、ＳＣ−ＦＤＭＡを用いて時間ドメインで送られる。
【００２６】
本明細書の教示は、様々なワイヤードまたはワイヤレス装置（例えば、ノード）に組み込まれうる（例えば、ワイヤレス装置内で実施されるか、あるいは、ワイヤレス装置によって実行される）。いくつかの態様において、本明細書の教示にしたがって実施されるワイヤレスノードは、アクセスポイントまたはアクセス端末を備えうる。
【００２７】
アクセスポイント（「ＡＰ」）は、ノードＢ、ラジオネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、ラジオルータ、ラジオトランシーバ、基本サービスセット（「ＢＳＳ」）、拡張サービスセット（「ＥＳＳ」）、ラジオ基地局（「ＲＢＳ」）、あるいは、他の用語を備えうるか、それとして実施されうるか、あるいは、それとして知られうる。
【００２８】
アクセス端末（「ＡＴ」）は、アクセス端末、加入者局、加入者ユニット、モバイル局、リモート局、リモート端末、ユーザ端末、ユーザエージェント、ユーザデバイス、ユーザ機器、ユーザ局、あるいは、他の用語を備えうるか、それとして実施されうるか、あるいは、それとして知られうる。いくつかの実施において、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、あるいは、ワイヤレスモデムに接続された他の適切な処理デバイスを備えうる。それに応じて、本明細書で教示される１または複数の態様は、電話（例えば、セルラ電話またはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、ミュージックまたはビデオデバイス、あるいは、衛星ラジオ）、全地球測位システムデバイス、あるいは、ワイヤレスまたはワイヤード媒体を介して通信するように構成されたあらゆる他の適切なデバイスに組み込まれうる。いくつかの態様において、ノードは、ワイヤレスノードである。そのようなワイヤレスノードは、ワイヤードまたはワイヤレス通信リンクを介して、例えば、ネットワーク（例えば、インターネットまたはセルラネットワークのような広域ネットワーク）に対する、または、ネットワークへの接続性を提供しうる。
【００２９】
図１は、アクセスポイントおよびユーザ端末を有する多元接続の多入力多出力（ＭＩＭＯ）システム１００を示す。簡潔さのために、図１には、１つのアクセスポイント１１０しか示されない。アクセスポイントは、一般的に、ユーザ端末と通信する固定局であり、基地局または他の用語でも呼ばれうる。ユーザ端末は、固定またはモバイルであり、モバイル局、ワイヤレスデバイス、あるいは、他の用語でも呼ばれうる。アクセスポイント１１０は、ダウンリンクおよびアップリンク上であらゆる所与の時間に１または複数のユーザ端末１２０と通信しうる。ダウンリンク（すなわち、順方向リンク）は、アクセスポイントからユーザ端末への通信リンクであり、アップリンク（すなわち、逆方向リンク）はユーザ端末からアクセスポイントへの通信リンクである。ユーザ端末は、さらに、別のユーザ端末とピア・ツー・ピアで通信しうる。システムコントローラ１３０は、アクセスポイントに結合され、アクセスポイントに対して協調および制御を提供する。
【００３０】
以下の開示の一部は、空間分割多元接続（ＳＤＭＡ）を介して通信可能なユーザ端末１２０について記述しているが、特定の態様について、ユーザ端末１２０は、ＳＤＭＡをサポートしないいくつかのユーザ端末も含みうる。このように、そのような態様の場合、ＡＰ １１０は、ＳＤＭＡのユーザ端末と、ＳＤＭＡ以外のユーザ端末の両方と通信するように構成されうる。このアプローチは、都合よく、旧バージョンのユーザ端末（「レガシ」局）が、エンタープライズにおいて展開され続け、その有益なライフタイムの拡張を可能する一方で、より新しいＳＤＭＡのユーザ端末が適切であるとみなされて導入されることを可能にする。
【００３１】
システム１００は、ダウンリンクおよびアップリンク上でのデータ送信のために複数の送信アンテナおよび複数の受信アンテナを用いる。アクセスポイント１１０は、Ｎａｐ個のアンテナを備え、ダウンリンク送信に対して多入力（ＭＩ）を、アップリンク送信に対して多出力（ＭＯ）を表す。Ｋ個の選択されたユーザ端末１２０のセットは、集合的に、ダウンリンク送信に対する多出力と、アップリンク送信に対する多入力を表す。ピュアなＳＤＭＡについて、Ｋ個のユーザ端末に対するデータシンボルストリームが、いくつかの手段によって、符号、周波数、または時間的に多重化されない場合、Ｎａｐ≧Ｋ≧１を有し、データシンボルストリームが、ＴＤＭＡ技術を、ＣＤＭＡの場合は異なる符号チャネルを、ＯＦＤＭの場合は互いに素なサブ帯域のセットを使用して多重化されることができる場合、ＫはＫａｐよりも多きくなりうることが望まれる。選択されたユーザ端末の各々は、アクセスポイントにユーザ固有データを送信し、および／または、アクセスポイントからユーザ固有データを受信しうる。一般的に、選択されたユーザ端末の各々は、１または複数（すなわち、Ｎｕｔ≧１である）のアンテナを備えうる。Ｋ個の選択されたユーザ端末は、同じ数または異なる数のアンテナを有しうる。
【００３２】
システム１００は、時分割複信（ＴＤＤ）システム、または、周波数分割複信（ＦＤＤ）システムでありうる。ＴＤＤシステムの場合、ダウンリンクおよびアップリンクは、同一の周波数帯域を共有する。ＦＤＤシステムの場合、ダウンリンクおよびアップリンクは、異なる周波数帯域を使用する。ＭＩＭＯシステム１００は、さらに、送信のために単一のキャリアまたは複数のキャリアを利用しうる。各ユーザ端末は、単一のアンテナ（コストを低く保つために）または複数のチャネル（例えば、さらなるコストがサポートされうる場合）を備えうる。システム１００は、さらに、各々が異なるユーザ端末１２０に割り当てられる異なる時間スロットに送信／受信を分割することによってユーザ端末１２０が同一の周波数チャネルを共有する場合、ＴＤＭＡシステムでありうる。
【００３３】
図２は、ＭＩＭＯシステム１００におけるアクセスポイント１１０および２つのユーザ端末１２０ｍおよび１２０ｘのブロック図を示す。アクセスポイント１１０は、Ｎｔ個のアンテナ２２４ａ〜２２４ｔを備える。ユーザ端末１２０ｍは、Ｎｕｔ,ｍ個のアンテナ２５２ｍａ〜２５２ｍｕを備え、ユーザ端末１２０ｘは、Ｎｕｔ,ｘ個のアンテナ２５２ｘａ〜２５２ｘｕを備える。アクセスポイント１１０は、ダウンリンクの場合に送信側のエンティティであり、アップリンクの場合に受信側のエンティティである。各ユーザ端末１２０は、アップリンクの場合に送信側のエンティティであり、ダウンリンクの場合に受信側のエンティティである。本明細書で使用される場合、「送信側のエンティティ（transmitting entity）」は、ワイヤレスチャネルを介してデータを送信することができる独立操作型装置またはデバイスであり、「受信側のエンティティ（receiving entity）」は、ワイヤレスチャネルを介してデータを受信することができる独立操作型装置またはデバイスである。以下の記述において、「ｄｎ」という下付き文字はダウンリンクを表し、「ｕｐ」という下付き文字はアップリンクを表し、Ｎｕｐ個のユーザ端末は、アップリンク上での同時送信のために選択され、Ｎｄｎ個のユーザ端末は、ダウンリンク上での同時送信のために選択され、Ｎｕｐは、Ｎｄｎに等しいか、あるいは、等しくない可能性があり、ＮｕｐおよびＮｄｎは、静的な値であるか、あるいは、スケジューリングインターバルごとに変化しうる。ビームステアリング（beam-steering）またはある他の空間処理技術が、アクセスポイントおよびユーザ端末において使用されうる。
【００３４】
アップリンク上において、アップリンク送信のために選択された各ユーザ端末１２０では、ＴＸデータプロセッサ２８８が、データソース２８６からトラフィックデータを、コントローラ２８０から制御データを受信する。ＴＸデータプロセッサ２８８は、ユーザ端末に対して選択されたレートに関連付けられたコード化および変調スキームに基づいて、ユーザ端末についてのトラフィックデータを処理（例えば、符号化、インターリーブ、変調）し、データシンボルストリームを提供する。ＴＸ空間プロセッサ２９０は、データシンボルストリームに対して空間処理を実行し、Ｎｕｔ,ｍ個のアンテナに対してＮｕｔ,ｍ個の送信シンボルストリームを提供する。各送信機ユニット（ＴＭＴＲ）２５４は、それぞれの送信シンボルストリームを受信および処理（例えば、アナログ変換、増幅、フィルタリング、および周波数アップコンバート）し、アップリンク信号を生成する。Ｎｕｔ,ｍ個の送信機ユニット２５４は、Ｎｕｔ,ｍ個のアンテナ２５２からアクセスポイントへの送信に対してＮｕｔ,ｍ個のアップリンク信号を提供する。
【００３５】
Ｎｕｐ個のユーザ端末は、アップリンク上での同時送信のためにスケジューリングされうる。これらのユーザ端末の各々は、そのデータシンボルストリームに対して空間処理を実行し、送信シンボルストリームのセットをアップリンク上でアクセスポイントに送信する。
【００３６】
アクセスポイント１１０において、Ｎａｐ個のアンテナ２２４ａ〜２２４ａｐは、アップリンク上で送信しているＮｕｐ個の全てのユーザ端末からアップリンク信号を受信する。各アンテナ２２４は、受信信号をそれぞれの受信機ユニット（ＲＣＶＲ）２２２に提供する。各受信機ユニット２２２は、送信機ユニット２５４によって実行される処理に相補的な処理を実行し、受信シンボルストリームを提供する。ＲＸ空間プロセッサ２４０は、Ｎａｐ個の受信機ユニット２２２からのＮａｐ個の受信シンボルストリームに対して受信機空間処理を実行し、Ｎｕｐ個の復元されたアップリンクデータシンボルストリームを提供する。受信機空間処理は、チャネル相関行列インバージョン（ＣＣＭＩ）、最小平均二乗誤差（ＭＭＳＥ）、ソフト干渉キャンセレーション（ＳＩＣ）、または、他の技術にしたがって実行される。復元されたアップリンクデータシンボルストリームの各々は、それぞれのユーザ端末によって送信されたデータシンボルストリームの推定である。ＲＸデータプロセッサ２４２は、復号データを取得するために、復元されたアップリンクデータシンボルストリームの各々を、そのストリームに対して使用されたレートにしたがって処理（例えば、復調、デインターリーブ、復号）する。各ユーザ端末についての復号データは、記憶のためにデータシンク２４４に、および／または、さらなる処理のためにコントローラ２３０に提供されうる。
【００３７】
ダウンリンク上において、アクセスポイント１１０では、ＴＸデータプロセッサ２１０は、ダウンリンク送信に対してスケジューリングされたＮｄｎ個のユーザ端末のためにデータソース２０８からトラフィックデータを、コントローラ２３０から制御データを、および、恐らくは、スケジューラ２３４から他のデータを受信する。様々なタイプのデータが、異なる転送チャネル上で送られうる。ＴＸデータプロセッサ２１０は、各ユーザ端末についてのトラフィックデータを、そのユーザ端末に対して選択されたレートに基づいて処理（例えば、符号化、インターリーブ、変調）する。ＴＸデータプロセッサ２１０は、Ｎｄｎ個のユーザ端末に対してＮｄｎ個のダウンリンクデータシンボルストリームを提供する。ＴＸ空間プロセッサ２２０は、Ｎｄｎ個のダウンリンクデータシンボルストリームに対して、空間処理（本開示に記述されているような、プレコーディングまたはビームフォーミングなど）を実行し、Ｎａｐ個のアンテナに対してＮａｐ個の送信シンボルストリームを提供しうる。送信機ユニット２２２の各々は、ダウンリンク信号を生成するために、それぞれの送信シンボルストリームを受信および処理する。Ｎａｐ個の送信機ユニット２２２は、Ｎａｐ個のアンテナ２２４からユーザ端末への送信に対してＮａｐ個のダウンリンク信号を提供する。
【００３８】
各ユーザ端末１２０において、Ｎｕｔ,ｍ個のアンテナ２５２は、アクセスポイント１１０からＮａｐ個のダウンリンク信号を受信する。各受信機ユニット２５４は、関連アンテナ２５２から受信信号を処理し、受信シンボルストリームを提供する。ＲＸ空間プロセッサ２６０は、Ｎｕｔ,ｍ個の受信機ユニット２５４からのＮｕｔ,ｍ個の受信シンボルストリームに対して受信機空間処理を実行し、ユーザ端末に対して、復元されたダウンリンクデータシンボルストリームを提供する。受信機空間処理は、ＣＣＭＩ、ＭＭＳＥ、あるいは、他の技術にしたがって実行される。ＲＸデータプロセッサ２７０は、ユーザ端末についての復号データを取得するために、復元されたダウンリンクデータシンボルストリームを処理（例えば、復調、デインターリーブ、復号）する。
【００３９】
各ユーザ端末１２０において、チャネル推定器２７８は、ダウンリンクチャネル応答を推定し、チャネル利得推定値、ＳＮＲ推定値、ノイズ分散などを含みうるダウンリンクチャネル推定値を提供する。同様に、チャネル推定器２２８は、アップリンクチャネル応答を推定し、アップリンクチャネル推定値を提供する。各ユーザ端末のコントローラ２８０は、典型的に、ユーザ端末のダウンリンクチャネル応答行列Ｈｄｎ,ｍに基づいて、そのユーザ端末についての空間フィルタ行列を導き出す。コントローラ２３０は、効率的なアップリンクチャネル応答行列Ｈｕｐ,ｅｆｆに基づいてアクセスポイントについての空間フィルタ行列を導き出す。各ユーザ端末のコントローラ２８０は、フィードバック情報（例えば、ダウンリンクおよび／またはアップリンクの固有ベクトル、固有値、ＳＮＲ推定値など）をアクセスポイントに送りうる。コントローラ２３０および２８０は、さらに、それぞれ、アクセスポイント１１０およびユーザ端末１２０において、様々な処理ユニットの動作を制御する。
【００４０】
図３は、ＭＩＭＯシステム１００のようなワイヤレス通信システム内で用いられうるワイヤレスデバイス３０２において利用されうる様々なコンポーネンを示す。ワイヤレスデバイス３０２は、本明細書に記述された様々な方法を実施するように構成されうるデバイスの例である。ワイヤレスデバイス３０２は、アクセスポイント１１０またはユーザ端末１２０でありうる。
【００４１】
ワイヤレスデバイス３０２は、ワイヤレスデバイス３０２の動作を制御するプロセッサ３０４を含みうる。プロセッサ３０４は、中央処理装置（ＣＰＵ）とも呼ばれうる。読取専用メモリ（ＲＯＭ）およびランダムアクセスメモリ（ＲＡＭ）の両方を含みうるメモリ３０６は、命令およびデータをプロセッサ３０４に提供する。メモリ３０６の一部は、さらに、不揮発性ランダムアクセスメモリ（ＮＶＲＡＭ）を含みうる。プロセッサ３０４は、典型的に、メモリ３０６に記憶されたプログラム命令に基づいて、論理演算および算術演算を実行しうる。メモリ３０６内の命令は、本明細書に記述された方法を実施するように実行可能である。
【００４２】
ワイヤレスデバイス３０２は、さらに、ワイヤレスデバイス３０２とリモートロケーションとの間でのデータの送受信を可能にするための送信機３１０および受信機３１２を含みうるハウジング３０８を含みうる。送信機３１０および受信機３１２は、トランシーバ３１４へと結合されうる。単一または複数の送信アンテナ３１６は、ハウジング３０８に取り付けられ、トランシーバ３１４に電気的に結合されうる。ワイヤレスデバイス３０２は、さらに、複数の送信機、複数の受信機、複数のトランシーバを含みうる（図示されない）。
【００４３】
ワイヤレスデバイス３０２は、さらに、トランシーバ３１４によって受信された信号のレベルを検出および定量化する目的で使用されうる信号検出器３１８を含みうる。信号検出器３１８は、トータルエネルギー、シンボルに対するサブキャリアごとのエネルギー、電力スペクトル密度、および、他の信号として、そのような信号を検出しうる。ワイヤレスデバイス３０２は、さらに、信号の処理に使用するために、デジタル信号プロセッサ（ＤＳＰ）３２０を含みうる。
【００４４】
ワイヤレスデバイス３０２の様々なコンポーネントは、データバスに加えて、電力バス、制御信号バス、状態信号バスなどを含みうるバスシステム３２２によって互いに結合されうる。
【００４５】
図１のＭＩＭＯシステム１００のような次世代ＷＬＡＮにおいて、ダウンリンク（ＤＬ）マルチユーザ（ＭＵ）ＭＩＭＯ送信は、ネットワークスループット全体を増やすための有望な技術を表しうる。ＤＬ ＭＵ−ＭＩＭＯ送信の大部分の態様において、アクセスポイントから複数のユーザ局（ＳＴＡ）に送信されたプリアンブルのビームフォーミングされていない部分は、ＳＴＡへの空間ストリームの割付を示す空間ストリーム割付フィールドを搬送しうる。
【００４６】
ワイドチャネルＷＬＡＮにおける例示的なネットワークセットアップ  
特定の態様にしたがって、ＳＴＡ（局）は、より高いデータレートを達成するために、ＩＥＥＥ ８０２.１１ａｃにおいて２、４、または、８つの２０ＭＨｚチャネルを使用しうる。ＣＳＭＡ（キャリア検知多元接続）タイプのアクセスを保存するために、各ＳＴＡは、その２０ＭＨｚチャネルのうちの１つをプライマリチャネル（すなわち、制御チャネル）に指定し、その２０ＭＨｚチャネル上で８０２.１１タイプのＣＳＭＡアクセスを実行しうる。典型的にセカンダリチャネル（すなわち、拡張チャネル）と呼ばれうる、プライマリチャネルに関連付けられた他のチャネルについて、ＳＴＡは、いわゆる、ＰＩＦＳ（Point Coordination Function Interframe Space）アクセス（ＩＥＥＥ ８０２.１１ｎにおける）を実行しうる。すなわち、プライマリチャネル上での送信時間に近づくと、ＳＴＡは、任意の送信が存在するか否かを決定するために、プライマリ送信を開始する前に短期間の間チャネルをサンプリングし、次に、プライマリチャネル上のデータと共にセカンダリチャネル上でデータを送りうる。
【００４７】
ＩＥＥＥ ８０２.１１ｎは、２０ＭＨｚおよび４０ＭＨｚチャネルに対して以下の規則を規定する：  
・２０／４０ＭＨｚのＢＢＳ（基本サービスセット）を動作するＡＰ（アクセスポイント）は、プライマリチャネルがＡＰのセカンダリチャネルであるＯＢＳＳ（オーバーラッピングＢＳＳ）を検出すると、２０ＭＨｚのＢＳＳ動作に切り替え、続いて、異なるチャネルまたはチャネルのペアに移動しうる。２０／４０ＭＨｚのＩＢＳＳを動作するＩＢＳＳ（独立ＢＳＳ）ＤＦＳ（動的周波数選択）オーナ（ＩＤＯ）ＳＴＡは、プライマリチャネルがＩＤＯ ＳＴＡのセカンダリチャネルであるＯＢＳＳを検出すると、異なるチャネルのペアに移動することを選択しうる。  
・ＡＰまたはＩＤＯ ＳＴＡが、５ＧＨｚ帯域において２０／４０ＭＨｚのＢＳＳを開始し、ＢＳＳが、任意の既存の２０／４０ＭＨｚのＢＢＳと同じ２つのチャネルを占有する場合、異なるプライマリチャネルおよびセカンダリチャネルを有して、これらの２つのチャネル上に既存の２０／４０ＭＨｚのＢＳＳが存在することをＡＰが発見しない限り、ＡＰまたはＩＤＯ ＳＴＡは、新しいＢＳＳのプライマリチャネルが、既存の２０／４０ＭＨｚのＢＳＳのプライマリチャネルと同一になること、かつ、新しい２０／４０ＭＨｚのＢＳＳのセカンダリチャネルが、既存の２０／４０ＭＨｚのＢＳＳのセカンダリチャネルと同一になることを確実にするものとする。  
・ＡＰまたはＩＤＯが、５ＧＨｚ帯域において２０／４０ＭＨｚのＢＳＳを開始した場合、選択されたプライマリチャネルおよびセカンダリチャネルの両方で検出されるビーコンが存在しない限り、選択されたセカンダリチャネルは、ＡＰまたはＩＤＯ ＳＴＡによって実行されるdot11 BSS Width Channel Transition - Delay Factor OBSS scan time（ｄｏｔ１１のＢＳＳ幅チャネル遷移遅延ファクタＯＢＳＳスキャン時間）の間ビーコンが検出されないチャネルに対応するべきである。  
・高スループット（ＨＴ）のＡＰ、または、同様にＨＴ ＳＴＡであるＩＤＯ ＳＴＡは、既存の２０／４０ＭＨｚのＢＳＳのセカンダリチャネルであるチャネル上で、５ＧＨｚ帯域において２０ＭＨｚのＢＳＳを開始するべきではない。
【００４８】
これらの規則は、８０ＭＨｚおよび１６０ＭＨｚのＢＳＳを含むように拡張されうる。例えば、ある態様において、既存のネットワークが使用するチャネルの正確なセットの使用を新しいネットワークが目的とする場合、新しいネットワークのプライマリチャネルは、既存のネットワークのプライマリチャネルと同じになる可能性が高い。ある態様において、新しいネットワークが、同じチャネルを使用するが異なるプライマリチャネルを有する２つ以上の既存のネットワークを見込む場合、新しいネットワークは、２つ以上の既存のネットワークの任意のプライマリチャネルを、新しいネットワーク自体のプライマリチャネルとして自由に選択する。
【００４９】
ある態様において、既存のネットワークが使用するチャネルのサブセットの使用を新しいネットワークが目的とし、そのサブセットがプライマリチャネルを含む場合、新しいネットワークのプライマリチャネルは、既存のネットワークのプライマリチャネルと同じである可能性が高い。１よりも多くのプライマリチャネルが検出された場合、任意のプライマリチャネルが選択されうる。ある態様において、新しいネットワークは、典型的に、既存のネットワーク（例えば、ビーコンが検出された）のプライマリチャネルを、新しいネットワークのセカンダリチャネルとして使用しないようにしうる。別の態様において、新しいネットワークは、一般的に、既存のネットワークのセカンダリチャネルであることが知られているチャネルのセットを使用しないようにしうる。
【００５０】
特定の態様において、隣接チャネルの２つ以上のセットを有する新しい１６０ＭＨｚのネットワークについて、プライマリチャネルを含む８０ＭＨｚのセグメント（すなわち、プライマリセグメント）は、上にリストされた８０ＭＨｚ専用のネットワークによって使用されるものと同一の一般規則を使用する。さらに、セカンダリチャネルだけを含む残りの８０ＭＨｚのセグメントは、任意の既存のネットワークのプライマリチャネルとオーバーラップするべきではない。すなわち、８０ＭＨｚのセグメントを構成する４つの２０ＭＨｚのチャネルのうちの１つにプライマリチャネルを有する任意の既存のネットワークが存在する場合、８０ＭＨｚのセグメントは使用されるべきではない（あるいは、少なくとも回避されるべきである）。
【００５１】
図４は、本開示の特定の態様にしたがい、チャネル指定のためにアクセスポイントにおいて実行されうる例示的な動作４００を示す。動作４００は、４０２において、第１の既存のネットワークの第１のプライマリチャネルが、新しいネットワークにおいて使用されるべきチャネルの第２のセットとオーバーラップすることを決定することによって開始しうる。４０４において、第１のプライマリチャネルは、その決定に応答して、新しいネットワークにおけるプライマリチャネルに指定されうる。４０６において、第２の既存のネットワークの第２のプライマリチャネルがチャネルの第２のセットとオーバーラップすると決定される。４０８において、第２のプライマリチャネルは、新しいネットワークにおけるセカンダリチャネルとして使用されないようにされる。
【００５２】
図５は、本開示の特定の態様にしたがい、既存の４０ＭＨｚのネットワークに対して新しいネットワークについての例示的なチャネル指定を示す。既存のネットワークＥＮ１ ５０２は、２０ＭＨｚのプライマリチャネルＰＣ２および２０ＭＨｚのセカンダリチャネルＣ１を含む４０ＭＨｚのネットワークである。
【００５３】
１つの既存の４０ＭＨｚのネットワークを有する特定の態様において、既存のネットワークと新しいネットワークの両方がプライマリチャネルを共有する場合、新しいネットワークに対する８０ＭＨｚの動作が許可されうる。さらに、新しい４０ＭＨｚのネットワークのプライマリチャネルは、新しい４０ＭＨｚのネットワークが既存のネットワークの帯域上にある場合、既存のネットワークのプライマリチャネルとオーバーラップする可能性が高い。
【００５４】
例えば、新しいネットワークＮＮ ５０４のチャネルは、ＥＮ１ ５０２のチャネルとオーバーラップし、そのため、プライマリチャネルＰＣ２が２つのネットワークの間で共有される。ＮＮ ５０５のチャネルは、ＥＮ１ ５０２のいずれのチャネルともオーバーラップしないため、ＮＮ ５０５は、その２つのチャネルのいずれかをプライマリチャネルとして自由に選択する。例えば、図５に示されるように、ＮＮ ５０５について、ＰＣ３は、プライマリチャネルとして選択され、Ｃ４は、セカンダリチャネルとして選択される。
【００５５】
ＮＮ ５０６は、そのチャネルがＥＮ１ ５０２のチャネルと部分的にオーバーラップする８０ＭＨｚのネットワークであるため、ＥＮ１ ５０２とプライマリチャネルＰＣ２を共有する。ＮＮ ５０８のプライマリチャネルＰＣ３が、ＥＮ１ ５０２のＰＣ２とオーバーラップしないため、ＮＮ ５０８（これも８０ＭＨｚのネットワークである）は許容されない。
【００５６】
図６は、本開示の特定の態様にしたがい、既存の８０ＭＨｚのネットワークに対する新しいネットワークについての例示的なチャネル指定を示す。既存のネットワークＥＮ１ ６０２は、プライマリチャネルＰＣ２およびセカンダリチャネルＣ１、Ｃ３およびＣ４を含む８０ＭＨｚのネットワークである。
【００５７】
既存の８０ＭＨｚのネットワークを有する特定の態様において、新しい８０ＭＨｚのネットワークのプライマリチャネルは、既存のネットワークのプライマリとオーバーラップする可能性が高い。新しい４０ＭＨｚのネットワークのプライマリチャネルが既存のネットワークのプライマリにオーバーラップする場合、チャネルが既存のネットワークにオーバーラップする新しい４０ＭＨｚのネットワークは許容される。特定の態様において、セカンダリチャネル（例えば、Ｃ３、Ｃ４）だけを含む、既存のネットワークの４０ＭＨｚのセグメントにオーバーラップする４０ＭＨｚのネットワークは許されるが、回避される可能性が高い。
【００５８】
例えば、新しいネットワークＮＮ ６０４は、そのチャネルがＥＮ１ ６０２のチャネルにオーバーラップする８０ＭＨｚのネットワークであるため、そのプライマリチャネルＰＣ２をＥＮ１ ６０２と共有する。新しいネットワークＮＮ ６０６は、そのチャネルがＥＮ１ ６０２のセカンダリチャネルＣ３およびＣ４にオーバーラップし、そのプライマリチャネルＰＣ３がＥＮ ６０２のＣ３にオーバーラップする４０ＭＨｚのチャネルである。ＮＮ ６０６の動作は、ＩＥＥＥ ８０２.１１ｎ規則の直接的な拡張によって許容されるが、回避されるべきである。特定の態様において、新しいネットワークＮＮ ６０８は、そのプライマリチャネルＰＣ３がＥＮ ６０２のセカンダリチャネルＣ３にオーバーラップする８０ＭＨｚのネットワークであり、許容されない可能性がある。
【００５９】
図７は、本開示の特定の態様にしたがい、２つの既存の８０ＭＨｚのネットワークに対して新しい８０ＭＨｚのネットワークについての例示的なチャネル指定を示す。既存のネットワークＥＮ１ ７０２およびＥＮ２ ７０４は、それぞれ、指定された異なるプライマリチャネルＰＣ２およびＰＣ３を有する８０ＭＨｚのネットワークである。
【００６０】
異なる４０ＭＨｚのセグメント内の２つのネットワークの各々のプライマリチャネルを持つ２つの既存の８０ＭＨｚのネットワーク（例えば、隠しＢＳＳケース）を有する態様において、新しいネットワークは、２つの既存の８０ＭＨｚのネットワークのいずれかのチャネルを自由に使用し、さらに、プライマリチャネルを含む４０ＭＨｚのプライマリセグメントを自由に選択しうる。しかしながら、選択された４０ＭＨｚのプライマリセグメント内において、新しいネットワークは、４０ＭＨｚのセグメント内にプライマリを有する既存の８０ＭＨｚのネットワークのプライマリチャネルと同じとなるように、そのプライマリチャネルを選択する捺印可能性が高い。
【００６１】
例えば、新しいネットワークＮＮ ７０６は、その４０ＭＨｚのプライマリセグメントがＥＮ ７０２の４０ＭＨｚのセグメントとオーバーラップし、プライマリセグメント内のそのプライマリチャネルがＥＮ１ ７０２のＰＣ２にオーバーラップする８０ＭＨｚのネットワークである。
【００６２】
図８は、本開示の特定の態様にしたがい、２つの既存の４０ＭＨｚのネットワークに対する新しい８０ＭＨｚのネットワークについての例示的なチャネル指定を示す。既存のネットワークＥＮ１ ８０２およびＥＮ２ ８０４は、それぞれ、指定された異なるプライマリチャネルＰＣ２およびＰＣ３を有する４０ＭＨｚのオーバーラップしないネットワークである。
【００６３】
２つの既存の４０ＭＨｚのネットワークを有する特定の態様において、新しいネットワークは、８０ＭＨｚ動作のために、両方の４０ＭＨｚのネットワークのチャネルを自由に使用する。新しいネットワークは、さらに、プライマリを含む可能性が高い４０ＭＨｚのプライマリセグメントを自由に選択しうる。しかしながら、選択された４０ＭＨｚのプライマリセグメント内において、新しいネットワークは、プライマリセグメントにオーバーラップする既存の４０ＭＨｚのネットワークのプライマリチャネルと同じになるように、そのプライマリチャネルを選択する可能性が高い。例えば、新しいネットワークＮＮ ８０６は、その４０ＭＨｚのプライマリセグメントがＥＮ ８０２にオーバーラップし、そのプライマリチャネルがＥＮ１ ８０２のＰＣ２にオーバーラップする８０ＭＨｚのネットワークである。
【００６４】
図９は、本開示の特定の態様にしたがい、既存の４０ＭＨｚのネットワークおよび既存の８０ＭＨｚのネットワークに対する新しい８０ＭＨｚのネットワークについての例示的なチャネル指定を示す。既存のネットワーク（ＥＮ１）９０２は、プライマリチャネルＰＣ２およびセカンダリチャネルＣ１を有する４０ＭＨｚのネットワークである。既存のネットワークＥＮ２ ９０４は、そのプライマリチャネルＰＣ３がＥＮ１ ９０２のＰＣ２とオーバーラップする８０ＭＨｚのネットワークである。
【００６５】
１つの既存の４０ＭＨｚのネットワークおよび１つの既存の８０ＭＨｚのネットワークを有する特定の態様において、新しい８０ＭＨｚのネットワークのチャネルは、既存の８０ＭＨｚのネットワークとオーバーラップする可能性が高く、プライマリチャネルは、新しい８０ＭＨｚのネットワークと既存の８０ＭＨｚのネットワークとの間で共有される。例えば、新しいネットワークＮＮ ９０６は、そのチャネルがＥＮ２ ９０４とオーバーラップし、そのプライマリチャネルがＥＮ２ ９０４のＰＣ３とオーバーラップする８０ＭＨｚのネットワークである。
【００６６】
図１０は、本開示の特定の態様にしたがい、既存の８０ＭＨｚのネットワークに対して新しいネットワークについての例示的なチャネル指定を示す。既存のネットワークＥＮ１ １００２は、プライマリチャネルＰＣ２およびセカンダリチャネルＣ１、Ｃ３およびＣ４を有する８０ＭＨｚのネットワークである。
【００６７】
特定の態様において、プライマリチャネルがＥＮ１ １００２のＰＣ２にオーバーラップし、セカンダリチャネルがＣ１にオーバーラップする新しい４０ＭＨｚのネットワークＮＮ １００４は許容される。新しいネットワークＮＮ １００６は、そのチャネルがＥＮ１ １００２のセカンダリチャネルＣ３およびＣ４にオーバーラップし、そのプライマリチャネルＰＣ３がＥＮ１ １００２のセカンダリチャネルＣ３にオーバーラップする別の４０ＭＨｚのネットワークであり、同様にＩＥＥＥ ８０２.１１ｎ規則の直接的な拡張によって許容されうるが、回避される可能性が高い。新しいネットワークＮＮ １００８は、プライマリチャネルＰＣ６を含むいずれのチャネルもＥＮ１ １００２のチャネルにオーバーラップしない８０ＭＨｚのネットワークであり、それは、許容される。
【００６８】
１つの既存の８０ＭＨｚのネットワークを有する特定の態様において、１６０ＭＨｚのネットワークのプライマリチャネルが、既存の８０ＭＨｚのネットワークのプライマリチャネルにオーバーラップする場合、新しい１６０ＭＨｚのネットワークが許可されうる。例えば、新しいネットワークＮＮ １０１０は、そのプライマリチャネルがＥＮ１ １００２のＰＣ２にオーバーラップする１６０ＭＨｚのネットワークである。ある態様において、新しいネットワークＮＮ １０１２は、同様に１６０ＭＨｚのネットワークであるが、そのプライマリチャネルＰＣ６はＥＮ１ １００２のＰＣ２にオーバーラップせず、許容されない。
【００６９】
図１１は、本開示の特定の態様にしたがい、既存の１６０ＭＨｚのネットワークに対して新しいネットワークについての例示的なチャネル指定を示す。既存のネットワークＥＮ１ １１０２は、プライマリチャネルＰＣ２およびセカンダリチャネルＣ１およびＣ３乃至Ｃ８を含む１６０ＭＨｚのネットワークである。
【００７０】
１６０ＭＨｚの既存のネットワークＥＮ１ １１０２を有する特定の態様において、新しいネットワークがＥＮ１ １１０２と同じプライマリチャネルＰＣ２を指定する限り、チャネルＣ１乃至Ｃ２上の新しい４０ＭＨｚのネットワークは許可されうる。さらに、新しいネットワークがＥＮ１ １１０２と同じプライマリチャネルＰＣ２を指定する限り、チャネルＣ１乃至Ｃ４上の新しい８０ＭＨｚのネットワークは許可されうる。
【００７１】
特定の態様において、チャネルＣ１乃至Ｃ８上の新しい１６０ＭＨｚのネットワークは、新しいネットワークがＥＮ１ １１０２と同じプライマリＰＣ２を指定した場合、許可されうる。例えば、新しいネットワークＮＮ １１０４は、そのプライマリチャネルがＥＮ１ １１０２のＰＣ２にオーバーラップする１６０ＭＨｚのネットワークである。
【００７２】
ある態様において、４０／８０ＭＨｚのネットワークは、ＩＥＥＥ ８０２.１１ｎ規則の直接的な拡張により、ＥＮ１ １１０２のプライマリチャネルを含まないチャネルＣ５乃至Ｃ８上で許可されるが、回避される可能性が高い。例えば、新しいネットワークＮＮ １１０６は、そのプライマリチャネルＰＣ６がＥＮ１ １１０２のセカンダリチャネルＣ６にオーバーラップするチャネルＣ５乃至Ｃ８上の８０ＭＨｚのネットワークであり、回避される可能性が高い。しかしながら、ＮＮ １０１２が使用された場合、ＥＮ１は、典型的に、チャネルＣ５乃至Ｃ８の使用を停止しうる。
【００７３】
図１２は、本開示の特定の態様にしたがい、２つの既存の４０ＭＨｚのネットワークに対して新しいネットワークについての例示的なチャネル指定を示す。既存のネットワークＥＮ１ １２０２およびＥＮ２ １２０４は、それぞれ、指定された異なるプライマリチャネルＰＣ２およびＰＣ３を有する４０ＭＨｚのネットワークである。
【００７４】
２つの既存の４０ＭＨｚのネットワークを有する特定の態様において、新しい１６０ＭＨｚのネットワークは、８０ＭＨｚのセグメントとして、両方の４０ＭＨｚのネットワークを自由に使用しうる。さらに、新しいネットワークは、既存の４０ＭＨｚのネットワークのうちの１つを、そのプライマリセグメントとして選択する可能性が高い。選択された４０ＭＨｚのプライマリセグメント内で、新しいネットワークは、プライマリセグメント内の既存の４０ＭＨｚのネットワークのプライマリチャネルと同じになるように、そのプライマリチャネルを選択する可能性が高い。
【００７５】
特定の態様において、この原理は、３つの既存のネットワークに拡張されうる。例えば、新しい１６０ＭＨｚのネットワークＮＮ １２０６は、既存の４０ＭＨｚのネットワークＥＮ１ １２０２およびＥＮ２ １２０４を８０ＭＨｚのセグメントとして使用し、ここで、その４０ＭＨｚのプライマリセグメントは、ＥＮ１ １２０２とオーバーラップし、そのプライマリチャネルは、ＥＮ１ １２０２のＰＣ２にオーバーラップする。ある態様において、同様に１６０ＭＨｚのネットワークであるが、そのプライマリセグメントが既存のネットワークＥＮ１ １２０２およびＥＮ２ １２０４のいずれにもオーバーラップせず、そのプライマリチャネルＰＣ６が既存のネットワークＥＮ１ １２０２およびＥＮ２ １２０４のいずれのプライマリチャネルにもオーバーラップしない新しいネットワークＮＮ １２０８は許容されない。
【００７６】
図１３は、本開示の特定の態様にしたがい、４つの既存の４０ＭＨｚのネットワークに対して新しい１６０ＭＨｚのネットワークについての例示的なチャネル指定を示す。既存のネットワークＥＮ１ １３０２、ＥＮ２ １３０４、ＥＮ３ １３０６、ＥＮ４ １３０８は、それぞれ、指定された異なるプライマリチャネルＰＣ２、ＰＣ３、ＰＣ５、およびＰＣ７を有し、それらの間でオーバーラップするセカンダリチャネルを有さない４０ＭＨｚのネットワークである。
【００７７】
４つの既存の４０ＭＨｚのネットワークを有する特定の態様において、新しい１６０ＭＨｚのネットワークは、１６０ＭＨｚの動作のために、４つ全ての既存の４０ＭＨｚのセグメントを自由に使用しうる。さらに、新しいネットワークは、新しいネットワークのプライマリチャネルを含む可能性が高い４０ＭＨｚのプライマリセグメントを自由に選択しうる。しかしながら、選択された４０ＭＨｚのプライマリセグメント内で、新しいネットワークは、プライマリセグメント内の既存の４０ＭＨｚのネットワークのプライマリチャネルと同じになるように、そのプライマリチャネルを選択する可能性が高い。例えば、新しい１６０ＭＨｚのネットワークＮＮ １３１０は、４つ全ての既存のネットワークを使用し、ここで、そのプライマリセグメント（Ｃ１、Ｃ２）は、ＥＮ１ １３０２にオーバーラップし、そのプライマリチャネルは、ＥＮ１ １３０２のＰＣ２にオーバーラップする。
【００７８】
図１４は、本開示の特定の態様にしたがい、２つの既存の８０ＭＨｚのネットワークに対して新しい１６０ＭＨｚのネットワークについての例示的なチャネル指定を示す。既存のネットワークＥＮ１ １４０２およびＥＮ２ １４０４は、それぞれ、異なるプライマリチャネルＰＣ２およびＰＣ６を有し、いずれのセカンダリチャネルもが互いにオーバーラップしない８０ＭＨｚのネットワークである。
【００７９】
２つの既存の８０ＭＨｚのネットワークを有する特定の態様において、新しい１６０ＭＨｚのネットワークは、１６０ＭＨｚの動作のために、両方の既存の８０ＭＨｚのネットワークを自由に使用しうる。さらに、新しいネットワークは、プライマリチャネルを含む可能性が高い８０ＭＨｚのプライマリセグメントを自由に選択しうる。しかしながら、選択された８０ＭＨｚのプライマリセグメント内で、新しいネットワークは、プライマリセグメント内の既存の８０ＭＨｚのネットワークのプライマリチャネルと同じになるように、そのプライマリチャネルを選択する可能性が高い。例えば、新しい１６０ＭＨｚのネットワークＮＮ １４０６は、両方の既存の８０ＭＨｚのネットワークを使用し、ここで、そのプライマリ８０ＭＨｚのセグメントは、ＥＮ１ １４０２にオーバーラップし、そのプライマリチャネルは、ＥＮ１ １４０２のＰＣ２にオーバーラップする。
【００８０】
アクティブな不寛容インジケーション  
ＩＥＥＥ ８０２.１１ｎは、２.４ＧＨｚ帯域に対して２０／４０ＭＨｚの不寛容動作（intolerant operation）をシグナリングするための機能（facility）を含む：  
・不寛容ビット（ＩＢ：intolerant bit）を聞き取る４０ＭＨｚのＡＰは２０ＭＨｚに切り替わることが要求される。  
・ＳＴＡは、ＳＴＡが聞き取ることができる任意のＯＢＳＳのＡＰに対してこの不寛容ビットが設定されたか否かを（それ自体のＡＰに）報告する必要がある。  
・ＡＰは、報告を行うＳＴＡから不寛容ビットセッティングを受信すると、２０ＭＨｚの動作に切り替わることが要求される。
【００８１】
これらの規則は、５ＧＨｚにおいてＩＥＥＥ ８０２.１１ａｃに拡張されうる。例えば、高帯域幅ＢＳＳは、ＳＴＡが不寛容を報告した場合、そのセカンダリチャネルのうちのいくつかをリリースすることが求められうる。さらに、ＳＴＡからの不寛容メッセージは、リリースされる可能性が最も高いチャネルを示しうる。
【００８２】
パッシブな不寛容インジケーション  
当技術の主要な動機は、現在のネットワークのプライマリチャネルが新しいネットワークのセカンダリチャネルとして使用されないようにすることである。特定の態様において、当技術の主要な用途は、より高い帯域幅ＢＳＳのセカンダリチャネルによって干渉を受けている低帯域幅ネットワーク（恐らくは、サービス品質（ＱｏＳ）フローを搬送する）を回避することである。
【００８３】
特定の態様にしたがって、以下の優先関係が定義されうる：  
ａ．２０ＭＨｚのＢＳＳは、４０、８０、１６０ＭＨｚのＢＳＳのセカンダリチャネルに対して不寛容でありうる。  
ｂ．４０ＭＨｚのＢＳＳは、８０および１６０ＭＨｚのＢＳＳのセカンダリチャネルに対して不寛容でありうる。  
ｃ．８０ＭＨｚのＢＳＳは、１６０ＭＨｚのＢＳＳのセカンダリチャネルに対して不寛容でありうる。
【００８４】
特定の態様において、規則として、新しいＢＳＳは、不寛容インジケーションを設定するより低い帯域幅ＢＳＳによってプライマリとして使用されているチャネルを、セカンダリチャネルとして使用するべきではない。このメカニズムは、典型的に、高帯域幅ネットワークが開始される前に、より低い帯域幅のネットワークが存在するケースであって、かつ、ＳＴＡ／ＡＰが「セカンダリチャネル専用」パケットを復号しない場合にのみ有効である。
【００８５】
特定の態様において、高帯域幅ネットワークは、別のネットワークから（例えば、不寛容ビットを介して）不寛容インジケーションを受信すると、チャネルのより小さいセット上で動作することが強いられうる。不寛容インジケーションは、典型的に、リリースされうるチャネルを特定する。
【００８６】
特定の態様において、不寛容インジケーションを受信すると、ネットワークは、優先順位（precedence）の方法またはメトリックに基づいて、不寛容インジケーションに従うことを決定しうる。優先順位メトリックは、ネットワークが使用する帯域幅の量の関数でありうる。さらに、優先順位メトリックは、ネットワークにおけるトラフィックのタイプおよびサービス品質要件の関数でありうる。特定の態様において、不寛容インジケーションは、不寛容ビットを１に設定することを含む。
【００８７】
図１５は、例えば、本開示の特定の態様にしたがい、ＩＢ（不寛容ビット）動作を実行するために、アクセスポイントにおいて実行されうる例示的な動作１５００を示す。動作１５００は、１５０２において、第１のワイヤレスネットワークで通信するためにチャネルの第１のセットを利用することによって開始しうる。１５０４において、不寛容インジケーションは、第２のワイヤレスネットワークから受信されうる。１５０６において、不寛容インジケーションに応じて、チャネルの第１のセットの少なくとも一部は、リリースされうる。１５０８において、チャネルの第１のセットの残りの部分は、第１のワイヤレスネットワークで通信するために利用されうる。
【００８８】
特定の態様において、どのチャネルをリリースするかについての優先順位が決定されうる。この決定は、第１のネットワークによって使用される帯域幅の量を、第２のネットワークによって使用される帯域幅の量と比較すること、あるいは、第１のネットワークにおけるトラフィックのタイプまたはサービス品質要件のうちのを少なくとも１つを、第２のネットワークにおけるトラフィックのタイプまたはサービス品質要件のうちの少なくとも１つに比較することを備えうる。チャネルの第１のセットの少なくとも一部は、優先順位に基づいてリリースされうる。
【００８９】
図１６は、本開示の特定の態様にしたがい、既存のＬＢＮ（低帯域幅ネットワーク）に対する例示的なＩＢ動作を示す。ＬＢＮ １６０２は、プライマリチャネルＰＣ１およびセカンダリチャネルＣ２を有する４０ＭＨｚの低帯域幅ネットワークである。ＬＢＮ １６０８は、プライマリチャネルＰＣ３およびセカンダリチャネルＣ４を有する低帯域幅ネットワークである。
【００９０】
特定の態様において、既存の低帯域幅ネットワーク（例えば、ＬＢＮ １６０２またはＬＢＮ １６０８）が、そのＩＢ（不寛容ビット）を１に設定した場合、新しい高帯域幅（ＨＢ）ネットワーク（例えば、ＨＢＮ １６０４またはＨＢＮ １６０６）が起動すると、そのプライマリチャネルが既存の低帯域幅ネットワークのプライマリチャネルにアライン（align）された場合、高帯域幅ネットワークは、より高い帯域幅で動作しうる。
【００９１】
特定の態様において、新しい高帯域幅ネットワークは、そのセカンダリチャネルのうちの１つが低帯域幅ネットワークのプライマリチャネルとオーバーラップする場合、動作することが許容されない。このように、ＩＢ動作は、高帯域幅ネットワークの高帯域幅動作を制限しうる。
【００９２】
例えば、ケース１において、ＬＢＮ １６０２は、１に設定された不寛容ビットを有する。新しいネットワークＨＢＮ １６０４は、そのプライマリチャネルがＬＢＮ １６０２のプライマリチャネルにアラインされた８０ＭＨｚの高帯域幅ネットワークであるため、動作することが許容される。しかしながら、ＨＢＮ １６０６は、そのセカンダリチャネルＣ１がＬＢＮ １６０２のプライマリチャネルＰＣ１にオーバーラップしており、許容されない。
【００９３】
特定の態様において、ＩＢ動作は、多くのネットワークに対して、同じプライマリチャネルを共有させるか、あるいは、互いに素なチャネルにおいてより低い帯域幅で動作させる。例えば、ケース２において、ＬＢＮ １６０２およびＬＢＮ １６０８は、既存のネットワークであり、それぞれの不寛容ビットは１に設定されている。新しいネットワークＨＢＮ １６０６は、そのセカンダリチャネルＣ３がＬＢＮ １６０８のプライマリチャネルＰＣ３にオーバーラップしており、許容されない。このように、ＬＢＮ １６０２およびＬＢＮ １６０８からのＩＢインジケーションに応じて、ＨＢＮ １６０６は、互いに素な４０ＭＨｚのセグメントにおいて動作し、各セグメントは、そのプライマリチャネルが既存の低帯域幅ネットワークのうちの１つにオーバーラップする。例えば、ＨＢＮ １６０６は、２つの互いに素な４０ＭＨｚのセグメントＨＢＮ １６１０およびＨＢＮ １６１２において動作し、ここで、ＨＢＮ １６１０のプライマリチャネルは、ＬＢＮ １６０２のＰＣ１とオーバーラップし、ＨＢＮ １６１２のプライマリチャネルは、ＬＢＮ １６０８のＰＣ３にオーバーラップする。ある態様において、ＨＢＮ １６０６は、単に、ＬＢＮ １６０８のプライマリチャネルにオーバーラップするセカンダリチャネルをドロップ（drop）しうる。
【００９４】
図１７は、本開示の特定の態様にしたがい、既存のＨＢＮ（高帯域幅ネットワーク）に対する例示的なＩＢ動作を示す。ＨＢＮ １７０２は、プライマリチャネルＰＣ１およびセカンダリチャネルＣ２、Ｃ３、Ｃ４を有する既存の８０ＭＨｚの高帯域幅ネットワークである。ＬＢＮ １７０４は、新しい低帯域幅ネットワークであり、プライマリチャネルＰＣ３は、ＨＢＮ１のセカンダリチャネルＣ３にオーバーラップする。
【００９５】
特定の態様において、より低い帯域幅ＢＳＳは、より高い帯域幅ＢＳＳに対して、そのセカンダリチャネルの使用を停止することを強いる。例えば、ステップ１において、ＬＢＮ １７０４は、ＨＢＮ １７０２のセカンダリチャネルＣ３およびＣ４上でネットワークを開始し、その不寛容ビットをオンにする（すなわち設定する）。ステップ２において、ＬＢＮ １７０４からの不寛容インジケーションの受信に応じて、ＨＢＮ １７０２は、その２つのセカンダリチャネルＣ３およびＣ４の使用を停止しうる。
【００９６】
図１８は、本開示の特定の態様にしたがい、既存のＨＢＮ（高帯域幅ネットワーク）との例示的なＩＢ動作を示す。ＨＢＮ １８０２は、プライマリチャネルＰＣ１およびセカンダリチャネルＣ２、Ｃ３、Ｃ４を有する既存の８０ＭＨｚの高帯域幅ネットワークである。ＬＢＮ １８０４およびＬＢＮ １８０６は、新しい４０ＭＨｚの低帯域幅ネットワークである。
【００９７】
特定の態様において、確立されたネットワーク（例えば、企業ネットワークまたはホットスポットネットワーク）は、その確立されたネットワークのセカンダリチャネルにおいて補助的な低帯域幅ネットワークが開始しないようにすることを望みうる。特定の態様において、既存の高帯域幅ネットワークが、その不寛容ビットを１に設定することによって、不寛容インジケーションを提供する場合、新しい低帯域幅ネットワークは、そのプライマリチャネルが既存の高帯域幅ネットワークのセカンダリチャネルにオーバーラップする場合、動作することを許容されない可能性がある。しかしながら、新しい低帯域幅ネットワークは、そのプライマリチャネルが既存の高帯域幅ネットワークのプライマリチャネルにアラインされる場合、動作しうる。
【００９８】
例えば、プライマリチャネルＰＣ３がＨＢＮ １８０２のセカンダリチャネルＣ３にオーバーラップするＬＢＮ １８０４、許容されない。しかしながら、プライマリチャネルがＨＢＮ １８０２のＰＣ１にアラインされているＬＢＮ １８０６は、許容される。
【００９９】
図１９は、本開示の特定の態様にしたがい、ＩＢ（不寛容ビット）動作を実行するためにアクセスポイントにおいて実行されうる例示的な動作１９００を示す。動作１９００は、１９０２において、第１のワイヤレスネットワークで通信するためにチャネルの第１のセットを利用することによって開始しうる。１９０４において、不寛容インジケーションは、第２のワイヤレスネットワークから受信されうる。１９０６において、不寛容インジケーションの受信に応じて、チャネルの第１のセットからの１または複数のチャネルは、不寛容インジケーションに依存し、アクセスパラメータの第１のセットを使用して、第１のワイヤレスネットワークで通信するために利用されうる。１９０８において、チャネルの第１のセット残りのサブセットは、不寛容インジケーションに依存し、アクセスパラメータの第２のセットを使用して第１のワイヤレスネットワークで通信するために利用されうる。アクセスパラメータの第１および／または第２のセットは、コンテンションウィンドウ値（contention window value）または許容アクセスカテゴリ（allowed access category）のうちの少なくとも１つを備えうる。
【０１００】
上に記述された方法の様々な動作は、対応する機能を実行することができる任意の適切な手段によって実行されうる。手段は、回路、特定用途向け集積回路（ＡＳＩＣ）、または、プロセッサを含むが、それらに限定されない様々なハードウェアおよび／またはソフトウェアコンポーネントおよび／またはモジュールを含みうる。一般的に、図に示される動作が存在する場合、それらの動作は、同様にナンバリングされた、対応する手段プラス機能コンポーネントを有しうる。例えば、図４に示される動作４００は、図４Ａに示される回路４００Ａに対応する。
【０１０１】
本明細書で使用される場合、「決定すること（determining）」という用語は、広範囲の動作を包含する。例えば、「決定すること」は、算出すること（calculating）、計算すること（computing）、処理すること（processing）、導き出すこと（deriving）、調査すること（investigating）、ルックアップすること（looking up）（例えば、表、データベース、または、別のデータ構造をルックアップする）、確認すること（ascertaining）などを含みうる。さらに、「決定すること」は、受信すること（receiving）（例えば、情報を受信すること）、アクセスすること（accessing）（例えば、メモリ内のデータにアクセスすること）などを含みうる。さらに、「決定すること」は、解決すること（resolving）、選ぶこと（selecting）、選択すること（choosing）、確立すること（establishing）などを含みうる。
【０１０２】
本明細書で使用される場合、項目のリスト「のうちの少なくとも１つ（at least one of）」に関連した表現は、単一のメンバを含む、それらの項目のあらゆる組み合わせを指す。例として、「ａ、ｂ、またはｃのうちの少なくとも１つ（at least one of: a, b, or c）」は、ａ、ｂ、ｃ、ａ−ｂ、ａ−ｃ、ｂ−ｃ、ａ−ｂ−ｃをカバーすることが企図される。
【０１０３】
本開示と関連して記述された様々な実例の論理ブロック、モジュール、および回路は、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス（ＰＬＤ）、ディスクリートゲートまたはトランジスタ論理、ディスクリートハードウェアコンポーネント、もしくは、本明細書に記述された機能を実行するように設計されたそれらのあらゆる組み合わせで実施または実行されうる。汎用プロセッサはマイクロプロセッサでありうるが、代替的に、プロセッサは、任意の公に入手可能なプロセッサ、コントローラ、マイクロコントローラ、またはステートマシンでありうる。プロセッサは、例えば、ＤＳＰとマクロプロセッサ、複数のマイクロプロセッサ、ＤＳＰコアに結合した１または複数のマイクロプロセッサ、または、任意の他の上記構成の組み合わせなど、コンピューティングデバイスの組み合わせとしても実施されうる。
【０１０４】
本開示に関して記述される方法またはアルゴリズムのステップは、直接的にハードウェアに、プロセッサによって実行されるソフトウェアモジュールに、またはこれら二つの組み合わせに組み込まれうる。ソフトウェアモジュールは、当技術分野で知られているあらゆる形態の記憶媒体で存在しうる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、取り外し可能なディスク、ＣＤ−ＲＯＭなどを含む。ソフトウェアモジュールは、単一の命令または多数の命令を備え、いくつかの異なるコードセグメントにわたって、異なるプログラムの間で、および、複数の記憶媒体をわたって分散されうる。記憶媒体は、プロセッサが情報を記憶媒体から読み取り、情報を記憶媒体に書き込むことができるようにプロセッサに結合されうる。代替的に、記憶媒体はプロセッサと一体化されうる。
【０１０５】
本明細書に開示された方法は、記述された方法を達成するための１または複数のステップまたは動作を備える。方法のステップおよび／または動作は、請求項の範囲から逸脱することなく互いに交換されうる。換言すると、ステップまたは動作の特定の順序が特定されない限り、特定のステップおよび／または動作の順序および／または使用は、請求項の範囲を逸脱することなく変更されうる。
【０１０６】
記述された機能は、ハードウェア、ソフトウェア、ファームウェアまたはそれらのあらゆる組み合わせに実施されうる。ハードウェアで実施された場合、例示的なハードウェア構成は、ワイヤレスノードにおける処理システムを備えうる。処理システムは、バスアーキテクチャと共に実施されうる。バスは、処理システムの特定のアプリケーション並びに全体的な設計制約に依存して任意の数の相互接続バスおよびブリッジを含みうる。バスは、プロセッサ、機械可読媒体、および、バスインターフェースを含む様々な回路を互いにリンクしうる。バスインターフェースは、とりわけ、ネットワークアダプタを、バスを介して処理システムに接続するために使用されうる。ネットワークアダプタは、ＰＨＹレイヤの信号処理機能を実施するために使用されうる。ユーザ端末１２０（図１参照）のケースにおいて、ユーザインターフェース（例えば、キーパッド、ディスプレイ、マウス、ジョイスティックなど）もバスに接続されうる。バスは、さらに、当技術分野において周知であるため、さらに記述されないタイミングソース、周辺機器、電圧レギュレータ、電力管理回路などの様々な他の回路をリンクしうる。
【０１０７】
プロセッサは、機械可読媒体に格納されたソフトウェアの実行を含む、一般的な処理およびバスの管理に対して責任を有しうる。プロセッサは、１または複数の汎用および／または専用プロセッサで実施されうる。例は、マイクロプロセッサ、マイクロコントローラ、ＤＳＰプロセッサ、ソフトウェアを実行することができる他の回路を含む。ソフトウェアは、ソフトウェア、ファームウェア、ミドルウェア、マイクロコード、ハードウェア記述言語、あるいは他の用語で呼ばれようと、手段、命令、データ、あるいは、それらのあらゆる組み合わせを意味するように広く解釈されるものとする。機械可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能プログラマブル読取専用メモリ）、ＥＥＰＲＯＭ（電気的消去可能プログラマブル読取専用メモリ）、レジスタ、磁気ディスク、光ディスク、ハードドライブ、あるいは、任意の別の適切な記憶媒体、あるいは、それらのあらゆる組み合わせを含みうる。機械可読媒体は、コンピュータプログラムプロダクトに組み込まれうる。コンピュータプログラムプロダクトは、パッケージングマテリアルを備えうる。
【０１０８】
ハードウェア実施において、機械可読媒体は、プロセッサから離れた処理システムの一部でありうる。しかしながら、当業者が容易に任意するように、機械可読媒体またはその一部は、処理システムに外付けでありうる。例として、機械可読媒体は、送信回線、データによって変調されたキャリア、および／または、ワイヤレスノードから離れたコンピュータプロダクトを含み、その全ては、バスインターフェースを介してプロセッサによってアクセスされうる。代替的に、または、付加的に、機械可読媒体またはその一部は、プロセッサに統合されうる。例えば、このケースは、キャッシュおよび／または汎用レジスタファイルを有する。
【０１０９】
処理システムは、全てが外部バスアーキテクチャを通して他の支援回路と互いにリンクされた、プロセッサ機能を提供する１または複数のマイクロプロセッサと、機械可読媒体のうちの少なくとも一部を提供する外部メモリとを有する汎用処理システムとして構成されうる。代替的に、処理システムは、プロセッサ、バスインターフェース、アクセス端末のケースにおけるユーザインターフェース、支援回路、および、単一のチップに統合された機械可読媒体の少なくとも一部を有するＡＳＩＣ（特定用途向け集積回路）、または、１または複数のＦＰＧＡ（書換え可能ゲートアレイ）、ＰＬＤ（プログラマブル論理デバイス）、コントローラ、ステートマシン、ゲート論理、ディスクリートハードウェアコンポーネント、または他の適切な回路、あるいは、本開示全体に記述された様々な機能性を実行することができる回路のあらゆる組み合わせで実施されうる。当業者は、特定のアプリケーションと、システム全体に課せられた設計制約全体とに依存して、処理システムに対して記述された機能性の最も良い実施法を認識するであろう。
【０１１０】
機械可読媒体は、多数のソフトウェアモジュールを備えうる。ソフトウェアモジュールは、プロセッサによって実行されると、処理システムに対して、様々な機能を実行させる命令を含む。ソフトウェアモジュールは、送信モジュールおよび受信モジュールを含みうる。各ソフトウェアモジュールは、単一の記憶デバイスに存在するか、複数の記憶デバイスにわたって分散されうる。例として、ソフトウェアモジュールは、トリガイベントが行われ、ハードドライブからＲＡＭにロードされうる。ソフトウェアモジュールの実行中、プロセッサは、アクセス速度を上げるために、命令のうちのいくつかをキャッシュにロードしうる。次に、１または複数のキャッシュラインは、プロセッサによる実行のために、一般的なレジスタファイルにロードされうる。以下でソフトウェアモジュールの機能性に言及する場合、そのソフトウェアモジュールから命令を実行すると、そのような機能性がプロセッサによって実施されることは理解されるであろう。
【０１１１】
ソフトウェアで実施された場合、この機能は、コンピュータ可読媒体上の１または複数の命令またはコードとして記憶または送信されうる。コンピュータ可読媒体は、コンピュータ記憶媒体と、ある箇所から別の箇所へのコンピュータプログラム移送を容易にする任意の媒体を含む通信媒体との両方を含む。記憶媒体はコンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、コンピュータによってアクセスされることができ、命令やデータ構造形で所望のプログラムコードを搬送または記憶するために使用されうる任意の別媒体を備えることができる。さらに、任意の接続は適切にコンピュータ可読媒体と呼ばれる。例えば、同軸ケーブル、光ファイバーケーブル、撚線対、デジタル加入者回線（ＤＳＬ）、または赤外線（ＩＲ）、ラジオ、マイクロ波などのワイヤレス技法を使用してウェブサイト、サーバ、または他のリモートソースからソフトウェアが送信されると、この同軸ケーブル、光ファイバーケーブル、撚線対、ＤＳＬ、または赤外線、ラジオ、マイクロ派などのワイヤレス技法は媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気的にデータを再生し、ディスク（ｄｉｓｃ）はレーザで光学的にデータを再生する。このように、いくつかの態様において、コンピュータ可読媒体は、非一時的なコンピュータ可読媒体（例えば、有形媒体）を備えうる。加えて、他の態様について、コンピュータ可読媒体は、一時的なコンピュータ可読媒体（例えば、信号）を備えうる。上記の組み合わせもコンピュータ可読媒体の範囲に含まれるべきである。
【０１１２】
このように、特定の態様は、本明細書に提示された動作を実行するためにコンピュータプログラムプロダクトを備えうる。例えば、そのようなコンピュータプログラムプロダクトは、命令を格納した（および／または、符号化した）コンピュータ可読媒体を備え、この命令は、本明細書に記述された動作を実行するように１または複数のプロセッサによって実行可能である。特定の態様について、コンピュータプログラムプロダクトは、パッケージングマテリアルを含みうる。
【０１１３】
さらに、本明細書に記述された方法および技術を実行するためのモジュールおよび／または他の適切な手段がダウンロードされること、および／または、適宜、ユーザ端末および／または基地局によって他の手段で取得されることは認識されるべきである。例えば、そのようなデバイスは、本明細書に記述された方法を実行するための手段の移送を容易にするためにサーバに結合されうる。代替的に、本明細書に記述された様々な方法は、記憶手段をデバイスに結合または提供することでユーザ端末および／または基地局が様々な方法を取得できるように、記憶手段（例えば、ＲＡＭ、ＲＯＭ、コンパクトディスク（ＣＤ）またはフロッピーディスクのような物理記憶媒体など）を介して提供されうる。さらに、本明細書に記述された方法および技術をデバイスに提供するためのあらゆる他の適切な技術が利用されうる。
【０１１４】
請求項が、上述した厳密な構成およびコンポーネントに限定されないことは理解されるべきである。請求項の範囲から逸脱することなく、上述された方法および装置の、配置、操作、および詳細において、様々な変更、変化、および変形が行われうる。
以下に本願発明の当初の特許請求の範囲に記載された発明を付記する。
［Ｃ１］
ワイヤレス通信のための方法であって、
第１の既存のネットワークの第１のプライマリチャネルが、新しいネットワークで使用されるべきチャネルの第２のセットとオーバーラップすることを決定することと、
前記第１のプライマリチャネルに関する前記決定に応じて、前記第１のプライマリチャネルを前記新しいネットワークにおけるプライマリチャネルとして指定することと、
第２の既存のネットワークの第２のプライマリチャネルが前記チャネルの第２のセットとオーバーラップすると決定することと、
前記新しいネットワークにおけるセカンダリチャネルとして前記第２のプライマリチャネルを使用しないようにすることと
を備える方法。
［Ｃ２］
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、Ｃ１に記載の方法。
［Ｃ３］
前記新しいネットワークにおける前記プライマリチャネルとして前記第２の既存のネットワークのセカンダリチャネルを使用しないようにすることをさらに備える、Ｃ１に記載の方法。
［Ｃ４］
前記新しいネットワークは、１６０ＭＨｚのネットワークを備え、
前記指定することは、前記第１のプライマリチャネルを、前記１６０ＭＨｚのネットワークの第１のプライマリ８０ＭＨｚのセグメントの前記プライマリチャネルとして指定することを備える、Ｃ１に記載の方法。
［Ｃ５］
前記１６０ＭＨｚのネットワークの第２の８０ＭＨｚのセグメントのために、前記第２の既存のネットワークの前記第２のプライマリチャネルを使用しないようにすることをさらに備える、Ｃ４に記載の方法。
［Ｃ６］
前記第２のプライマリチャネルが前記第２の８０ＭＨｚのセグメントにオーバーラップする場合、前記第２の８０ＭＨｚのセグメントを使用しないようにすることをさらに備える、Ｃ５に記載の方法。
［Ｃ７］
ワイヤレス通信のための装置であって、
第１の既存のネットワークの第１のプライマリチャネルが新しいネットワークで使用されるべきチャネルの第２のセットとオーバーラップすることを決定するように構成された第１の回路と、
前記第１のプライマリチャネルに関する前記決定に応じて、前記第１のプライマリチャネルを前記新しいネットワークにおけるプライマリチャネルとして指定するように構成された第２の回路と、
第２の既存のネットワークの第２のプライマリチャネルが前記チャネルの第２のセットとオーバーラップすると決定するように構成された第３の回路と、
前記新しいネットワークにおいてセカンダリチャネルとして前記第２のプライマリチャネルを使用しないよういするように構成された第４の回路と
を備える装置。
［Ｃ８］
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、Ｃ７に記載の装置。
［Ｃ９］
前記新しいネットワークにおける前記プライマリチャネルとして前記第２の既存のネットワークのセカンダリチャネルを使用しないようにするように構成された第５の回路をさらに備える、Ｃ７に記載の装置。
［Ｃ１０］
前記新しいネットワークは、１６０ＭＨｚのネットワークを備え、
前記指定することは、前記第１のプライマリチャネルを、前記１６０ＭＨｚのネットワークの第１のプライマリの８０ＭＨｚのセグメントの前記プライマリチャネルとして指定することを備える、Ｃ７に記載の装置。
［Ｃ１１］
前記１６０ＭＨｚのネットワークの第２の８０ＭＨｚのセグメントに対して、前記第２の既存のネットワークの前記第２のプライマリチャネルを使用しないようにするように構成された第５の回路をさらに備える、Ｃ１０に記載の装置。
［Ｃ１２］
前記第２のプライマリチャネルが、前記第２の８０ＭＨｚのセグメントにオーバーラップする場合、前記第２の８０ＭＨｚのセグメントを使用しないようにするように構成された第６の回路をさらに備える、Ｃ１１に記載の装置。
［Ｃ１３］
ワイヤレス通信のための装置であって、
第１の既存のネットワークの第１のプライマリチャネルが、新しいネットワークで使用されるべきチャネルの第２のセットとオーバーラップすることを決定するための手段と、
前記第１のプライマリチャネルに関する前記決定に応じて、前記第１のプライマリチャネルを前記新しいネットワークにおけるプライマリチャネルとして指定するための手段と、
第２の既存のネットワークの第２のプライマリチャネルが前記チャネルの第２のセットとオーバーラップすると決定するための手段と、
前記新しいネットワークにおいてセカンダリチャネルとして前記第２のプライマリチャネルを使用しないようにするための手段と
を備える装置。
［Ｃ１４］
前記第２の既存のネットワークは、４０ＭＨｚのネットワークを備え、
前記第１の既存のネットワークは、８０ＭＨｚのネットワークを備え、
前記第１のプライマリチャネルは、前記４０ＭＨｚのネットワークのチャネルとオーバーラップしない、Ｃ１３に記載の装置。
［Ｃ１５］
前記新しいネットワークにおいて前記プライマリチャネルとして前記第２の既存のネットワークのセカンダリチャネルを使用しないようにするための手段とをさらに備える、Ｃ１３に記載の装置。
［Ｃ１６］
前記新しいネットワークは、１６０ＭＨｚのネットワークを備え、
前記指定するための手段は、前記第１のプライマリチャネルを、前記１６０ＭＨｚのネットワークの第１のプライマリの８０ＭＨｚのセグメントの前記プライマリチャネルとして指定するように構成される、Ｃ１３に記載の装置。
［Ｃ１７］
前記１６０ＭＨｚのネットワークの第２の８０ＭＨｚのセグメントのために、前記第２の既存のネットワークの前記第２のプライマリチャネルを使用しないようにするための手段をさらに備える、Ｃ１６に記載の装置。
［Ｃ１８］
前記第２のプライマリチャネルが、前記第２の８０ＭＨｚのセグメントにオーバーラップする場合、前記第２の８０ＭＨｚのセグメントを使用しないようにするための手段をさらに備える、Ｃ１７に記載の装置。
［Ｃ１９］
コンピュータ可読媒体を備える、ワイヤレス通信のためのコンピュータプログラムプロダクトであって、前記コンピュータ可読媒体は、
第１の既存のネットワークの第１のプライマリチャネルが、新しいネットワークで使用されるべきチャネルの第２のセットとオーバーラップすることを決定し、
前記第１のプライマリチャネルに関する前記決定に応じて、前記第１のプライマリチャネルを前記新しいネットワークにおけるプライマリチャネルとして指定し、
第２の既存のネットワークの第２のプライマリチャネルがチャネルの第２のセットとオーバーラップすると決定し、
前記新しいネットワークにおけるセカンダリチャネルとして前記第２のプライマリチャネルを使用しないようにする
ように実行可能な命令を備える、コンピュータプログラムプロダクト。
［Ｃ２０］
アクセスポイントであっって、
少なくとも１つのアンテナと、
第１の既存のネットワークの第１のプライマリチャネルが、新しいネットワークで使用されるべきチャネルの第２のセットとオーバーラップすることを決定するように構成された第１の回路と、
前記第１のプライマリチャネルに関する前記決定に応じて、前記第１のプライマリチャネルを前記新しいネットワークにおけるプライマリチャネルとして指定するように構成された第２の回路と、
第２の既存のネットワークの第２のプライマリチャネルが前記チャネルの第２のセットとオーバーラップすると決定するように構成された第３の回路と、
前記新しいネットワークにおけるセカンダリチャネルとして前記第２のプライマリチャネルを使用しないようにするように構成された第４の回路と
を備えるアクセスポイント。
［Ｃ２１］
ワイヤレス通信のための方法であって、
第１のワイヤレスネットワークにおいて通信するためにチャネルの第１のセットを利用することと、
第２のワイヤレスネットワークから不寛容インジケーションを受信することと、
前記不寛容インジケーションに応じて、前記チャネルの第１のセットの少なくとも一部をリリースすることと、
前記第１のワイヤレスネットワークで通信するために前記チャネルの第１のセットの残りの部分を利用することと
を備える方法。
［Ｃ２２］
前記不寛容インジケーションは、リリースされるべき前記チャネルの第１のセットの前記少なくとも一部を特定する、Ｃ２１に記載の方法。
［Ｃ２３］
前記第１のワイヤレスネットワークは、前記第２のワイヤレスネットワークよりも高いチャネル帯域幅を使用する、Ｃ２１に記載の方法。
［Ｃ２４］
前記チャネルの第１のセットの前記少なくとも一部をリリースすることは、前記チャネルの第１のセットから１または複数のセカンダリチャネルをリリースすることを備える、Ｃ２１に記載の方法。
［Ｃ２５］
どのチャネルをリリースするかについて優先順位を決定することと、
前記優先順位に基づいて、前記チャネルの第１のセットの前記少なくとも一部をリリースすることと
をさらに備える、Ｃ２１に記載の方法。
［Ｃ２６］
前記優先順位を決定することは、前記第１のワイヤレスネットワークが使用する帯域幅の量を、前記第２のワイヤレスネットワークが使用する帯域幅の量に比較することを備える、Ｃ２５に記載の方法。
［Ｃ２７］
前記優先順位を決定することは、前記第１のワイヤレスネットワークにおけるトラフィックのタイプまたはサービス品質要件のうちの少なくとも１つを、前記第２のワイヤレスネットワークにおけるトラフィックのタイプまたはサービス品質要件のうちの少なくとも１つと比較することを備える、Ｃ２５に記載の方法。
［Ｃ２８］
ワイヤレス通信のための装置であって、
第１のワイヤレスネットワークにおいて通信するためにチャネルの第１のセットを利用するように構成された第１の回路と、
第２のワイヤレスネットワークから不寛容インジケーションを受信するように構成された第２の回路と、
前記不寛容インジケーションに応じて、前記チャネルの第１のセットの少なくとも一部をリリースするように構成された第３の回路と、
前記第１のワイヤレスネットワークで通信するために前記チャネルの第１のセットの残りの部分を利用するように構成された第４の回路と
を備える装置。
［Ｃ２９］
前記不寛容インジケーションは、リリースされるべき前記チャネルの第１のセットの前記少なくとも一部を特定する、Ｃ２８に記載の装置。
［Ｃ３０］
前記第１のワイヤレスネットワークは、前記第２のワイヤレスネットワークよりも高いチャネル帯域幅を使用する、Ｃ２８に記載の装置。
［Ｃ３１］
前記第３の回路は、前記チャネルの第１のセットから１または複数のセカンダリチャネルをリリースすることによって、前記チャネルの第１のセットの前記少なくとも一部をリリースするように構成される、Ｃ２８に記載の装置。
［Ｃ３２］
どのチャネルをリリースするかについて優先順位を決定するように構成された第５の回路と、
前記優先順位に基づいて、前記チャネルの第１のセットの前記少なくとも一部をリリースするように構成された第６の回路と
をさらに備える、Ｃ２８に記載の装置。
［Ｃ３３］
前記第５の回路は、前記第１のワイヤレスネットワークが使用する帯域幅の量を、前記第２のワイヤレスネットワークが使用する帯域幅の量に比較することによって、前記優先順位を決定するように構成される、Ｃ３２に記載の装置。
［Ｃ３４］
前記第５の回路は、前記第１のワイヤレスネットワークにおけるトラフィックのタイプまたはサービス品質要件のうちの少なくとも１つを、前記第２のワイヤレスネットワークにおけるトラフィックのタイプまたはサービス品質要件のうちの少なくとも１つと比較することによって、前記優先順位を決定するように構成される、Ｃ３２に記載の装置。
［Ｃ３５］
ワイヤレス通信のための装置であって、
第１のワイヤレスネットワークにおいて通信するためにチャネルの第１のセットを利用するための手段と、
第２のワイヤレスネットワークから不寛容インジケーションを受信するための手段と、
前記不寛容インジケーションに応じて、前記チャネルの第１のセットの少なくとも一部をリリースするための手段と、
前記第１のワイヤレスネットワークで通信するために前記チャネルの第１のセットの残りの部分を利用するための手段と
を備える装置。
［Ｃ３６］
前記不寛容インジケーションは、リリースされるべき前記チャネルの第１のセットの前記少なくとも一部を特定する、Ｃ３５に記載の装置。
［Ｃ３７］
前記第１のワイヤレスネットワークは、前記第２のワイヤレスネットワークよりも高いチャネル帯域幅を使用する、Ｃ３５に記載の装置。
［Ｃ３８］
前記チャネルの第１のセットの前記少なくとも一部をリリースするための手段は、前記チャネルの第１のセットから１または複数のセカンダリチャネルをリリースするように構成される、Ｃ３５に記載の装置。
［Ｃ３９］
どのチャネルをリリースするかについての優先順位を決定するための手段と、
前記優先順位に基づいて、前記チャネルの第１のセットの前記少なくとも一部をリリースするための手段と
をさらに備える、Ｃ３５に記載の装置。
［Ｃ４０］
前記優先順位を決定するための手段は、前記第１のワイヤレスネットワークが使用する帯域幅の量を、前記第２のワイヤレスネットワークが使用する帯域幅の量に比較するように構成される、Ｃ３９に記載の装置。
［Ｃ４１］
前記優先順位を決定するための手段は、前記第１のワイヤレスネットワークにおけるトラフィックのタイプまたはサービス品質要件のうちの少なくとも１つを、前記第２のワイヤレスネットワークにおけるトラフィックのタイプまたはサービス品質要件のうちの少なくとも１つと比較するように構成される、Ｃ３９に記載の装置。
［Ｃ４２］
コンピュータ可読媒体を備える、ワイヤレス通信のためのコンピュータプログラムプロダクトであって、前記コンピュータ可読媒体は、
第１のワイヤレスネットワークにおいて通信するためにチャネルの第１のセットを利用し、
第２のワイヤレスネットワークから不寛容インジケーションを受信し、
前記不寛容インジケーションに応じて、前記チャネルの第１のセットの少なくとも一部をリリースし、
前記第１のワイヤレスネットワークで通信するために、前記チャネルの第１のセットの残りの部分を利用する
ように実行可能な命令を備える、コンピュータプログラムプロダクト。
［Ｃ４３］
アクセスポイントであって、
少なくとも１つのアンテナと、
第１のワイヤレスネットワークにおいて通信するためにチャネルの第１のセットを利用するように構成された第１の回路と、
前記少なくとも１つのアンテナを介して、第２のワイヤレスネットワークから不寛容インジケーションを受信するように構成された第２の回路と、
前記不寛容インジケーションに応じて、前記チャネルの第１のセットの少なくとも一部をリリースするように構成された第３の回路と、
前記第１のワイヤレスネットワークで通信するために前記チャネルの第１のセットの残りの部分を利用するように構成された第４の回路と
を備えるアクセスポイント。
［Ｃ４４］
ワイヤレス通信のための方法であって：
第１のワイヤレスネットワークにおいて通信するためにチャネルの第１のセットを利用することと、
第２のワイヤレスネットワークから不寛容インジケーションを受信することと、
前記不寛容インジケーションに応じて、前記不寛容インジケーションに依存し、アクセスパラメータの第１のセットを使用して、前記第１のワイヤレスネットワークで通信するために前記チャネルの第１のセットからの１または複数のチャネルを利用することと、
前記不寛容インジケーションに依存して、アクセスパラメータの第２のセットを使用して、前記第１のワイヤレスネットワークで通信するために前記チャネルの第１のセットの残りのセブセットを利用することと
を備える方法。
［Ｃ４５］
前記アクセスパラメータの第１および第２のセットは、コンテンションウィンドウ値または許容アクセスカテゴリのうちの少なくとも１つを備える、Ｃ４４に記載の方法。
［Ｃ４６］
前記第２のワイヤレスネットワークは、前記第１のワイヤレスネットワークよりも低いチャネル帯域幅を使用する、Ｃ４４に記載の方法。
［Ｃ４７］
前記第１のワイヤレスネットワークは、８０ＭＨｚのネットワークを備え、前記第２のワイヤレスネットワークは４０ＭＨｚのネットワークを備える、Ｃ４６に記載の方法。
［Ｃ４８］
前記第１のワイヤレスネットワークは、１６０ＭＨｚのネットワークを備え、前記第２のワイヤレスネットワークは４０ＭＨｚのネットワークを備える、Ｃ４６に記載の方法。
［Ｃ４９］
ワイヤレス通信のための装置であって、
第１のワイヤレスネットワークにおいて通信するためにチャネルの第１のセットを利用するように構成された第１の回路と、
第２のワイヤレスネットワークから不寛容インジケーションを受信するように構成された第２の回路と、
前記不寛容インジケーションに応じて、前記不寛容インジケーションに依存し、アクセスパラメータの第１のセットを使用して、前記第１のワイヤレスネットワークで通信するために前記チャネルの第１のセットからの１または複数のチャネルを利用するように構成された第３の回路と、
前記不寛容インジケーションに依存して、アクセスパラメータの第２のセットを使用して、前記第１のワイヤレスネットワークで通信するために前記チャネルの第１のセットの残りのセブセットを利用するように構成された第４の回路と
を備える装置。
［Ｃ５０］
前記アクセスパラメータの第１および第２のセットは、コンテンションウィンドウ値または許容アクセスカテゴリのうちの少なくとも１つを備える、Ｃ４９に記載の装置。
［Ｃ５１］
前記第２のワイヤレスネットワークは、前記第１のワイヤレスネットワークよりも低いチャネル帯域幅を使用する、Ｃ４９に記載の装置。
［Ｃ５２］
前記第１のワイヤレスネットワークは、８０ＭＨｚのネットワークを備え、前記第２のワイヤレスネットワークは４０ＭＨｚのネットワークを備える、Ｃ５１に記載の装置。
［Ｃ５３］
前記第１のワイヤレスネットワークは、１６０ＭＨｚのネットワークを備え、前記第２のワイヤレスネットワークは４０ＭＨｚのネットワークを備える、Ｃ５１に記載の装置。
［Ｃ５４］
ワイヤレス通信のための装置であって、
第１のワイヤレスネットワークにおいて通信するためにチャネルの第１のセットを利用するための手段と、
第２のワイヤレスネットワークから不寛容インジケーションを受信するための手段と、
前記不寛容インジケーションに応じて、前記不寛容インジケーションに依存し、アクセスパラメータの第１のセットを使用して、前記第１のワイヤレスネットワークで通信するために前記チャネルの第１のセットから１または複数のチャネルを利用するための手段と、
前記不寛容インジケーションに依存し、アクセスパラメータの第２のセットを使用して、前記第１のワイヤレスネットワークで通信するために前記チャネルの第１のセットの残りのセブセットを利用するための手段と
を備える装置。
［Ｃ５５］
前記アクセスパラメータの第１および第２のセットは、コンテンションウィンドウ値または許容アクセスカテゴリのうちの少なくとも１つを備える、Ｃ５４に記載の装置。
［Ｃ５６］
前記第２のワイヤレスネットワークは、前記第１のワイヤレスネットワークよりも低いチャネル帯域幅を使用する、Ｃ５４に記載の装置。
［Ｃ５７］
前記第１のワイヤレスネットワークは、８０ＭＨｚのネットワークを備え、前記第２のワイヤレスネットワークは４０ＭＨｚのネットワークを備える、Ｃ５６に記載の装置。
［Ｃ５８］
前記第１のワイヤレスネットワークは、１６０ＭＨｚのネットワークを備え、前記第２のワイヤレスネットワークは４０ＭＨｚのネットワークを備える、Ｃ５６に記載の装置。
［Ｃ５９］
コンピュータ可読媒体を備える、ワイヤレス通信のためのコンピュータプログラムプロダクトであって、前記コンピュータ可読媒体は、
第１のワイヤレスネットワークにおいて通信するためにチャネルの第１のセットを利用し、
第２のワイヤレスネットワークから不寛容インジケーションを受信し、
前記不寛容インジケーションに応じて、前記不寛容インジケーションに依存し、アクセスパラメータの第１のセットを使用して、前記第１のワイヤレスネットワークで通信するために前記チャネルの第１のセットから１または複数のチャネルを利用し、
前記不寛容インジケーションに依存して、アクセスパラメータの第２のセットを使用して、前記第１のワイヤレスネットワークで通信するために前記チャネルの第１のセットの残りのセブセットを利用するように実行可能な命令を備える、コンピュータプログラムプロダクト。
［Ｃ６０］
アクセスポイントであっって、
少なくとも１つのアンテナと、
第１のワイヤレスネットワークにおいて通信するためにチャネルの第１のセットを利用するように構成された第１の回路と、
前記少なくとも１つのアンテナを介して、第２のワイヤレスネットワークから不寛容インジケーションを受信するように構成された第２の回路と、
前記不寛容インジケーションに応じて、前記不寛容インジケーションに依存し、アクセスパラメータの第１のセットを使用して、前記第１のワイヤレスネットワークで通信するために前記チャネルの第１のセットから１または複数のチャネルを利用するように構成された第３の回路と、
前記不寛容インジケーションに依存して、アクセスパラメータの第２のセットを使用して、前記第１のワイヤレスネットワークで通信するために前記チャネルの第１のセットの残りのセブセットを利用するように構成された第４の回路と
を備えるアクセスポイント。
【図１】
0005559429.tif 000002
【図２】
0005559429.tif 000003
【図３】
0005559429.tif 000004
【図４】
0005559429.tif 000005
【図４Ａ】
0005559429.tif 000006
【図５】
0005559429.tif 000007
【図６】
0005559429.tif 000008
【図７】
0005559429.tif 000009
【図８】
0005559429.tif 000010
【図９】
0005559429.tif 000011
【図１０】
0005559429.tif 000012
【図１１】
0005559429.tif 000013
【図１２】
0005559429.tif 000014
【図１３】
0005559429.tif 000015
【図１４】
0005559429.tif 000016
【図１５】
0005559429.tif 000017
【図１５Ａ】
0005559429.tif 000018
【図１６】
0005559429.tif 000019
【図１７】
0005559429.tif 000020
【図１８】
0005559429.tif 000021
【図１９】
0005559429.tif 000022
【図１９Ａ】
0005559429.tif 000023